(57)【要約】【課題】遊技の趣向性を向上させることができる遊技機を提供する。【解決手段】遊技機１は、導光板表示装置５０を備える。導光板表示装置５０は、複数の導光板部材２０００Ａ〜Ｈと、複数の装飾部材１０００Ａ〜Ｈと、を備え、メイン液晶表示装置６の前方で動作可能とされる。導光板表示装置５０は、複数の導光板部材２０００Ａ〜Ｈが集合した態様を作出したり、複数の導光板部材２０００Ａ〜Ｈ及び装飾部材１０００Ａ〜Ｈが集合した所定の意匠を作出したりすることが可能とされる。【選択図】図５１
2018157915.tif 000002
【特許請求の範囲】
【請求項１】
役物を備える遊技機であって、
前記役物は、
導光板部材を備え、前記導光板部材は、表示手段の前方で動作可能とされ、
複数の前記導光板部材が集合した態様を作出可能とされていることを特徴とする遊技機。
【請求項２】
役物を備える遊技機であって、
前記役物は、
導光板部材と装飾部材を備え、前記導光板部材と、前記装飾部材は、表示手段の前方で動作可能とされ、
複数の前記導光板部材及び前記装飾部材が集合した所定の意匠を作出可能とされていることを特徴とする遊技機。
【発明の詳細な説明】
【技術分野】
【０００１】
本発明は、役物装置、導光板を有する遊技機に関する。
【背景技術】
【０００２】
従来の遊技機として、特許文献１には、略矩形板状の導光板を備えた遊技機が記載されている。
【先行技術文献】
【特許文献】
【０００３】
【特許文献１】特開２０１６−２５９２７号公報
【発明の概要】
【発明が解決しようとする課題】
【０００４】
しかし、特許文献１の遊技機では、演出が単調であったため、さらなる遊技の趣向性の向上が望まれていた。
【０００５】
本発明は、上記事情にかんがみて、遊技の趣向性を向上させることができることができる遊技機を提供することを目的とする。
【課題を解決するための手段】
【０００６】
本発明では、役物（導光板表示装置５０）を備える遊技機であって、
前記役物は、
導光板部材（導光板部材２０００）を備え、前記導光板部材は、表示手段（メイン液晶表示装置６）の前方で動作可能とされ、
複数の前記導光板部材が集合した態様を作出可能とされていることを特徴とする。
【０００７】
また、本発明では、役物（導光板表示装置５０）を備える遊技機であって、
前記役物は、
導光板部材（導光板部材２０００）と装飾部材（装飾部材１０００）を備え、前記導光板部材と、前記装飾部材は、表示手段（メイン液晶表示装置６）の前方で動作可能とされ、
複数の前記導光板部材及び前記装飾部材が集合した所定の意匠を作出可能とされていることを特徴とする。
【０００８】
これによれば、遊技の趣向性を向上させることができる。
【図面の簡単な説明】
【０００９】
【図１】本発明の遊技機の一実施形態における装飾部材、導光板部材が待機位置にあるときの正面図である。
【図２】同実施形態の遊技機の電気系統のブロック図である。
【図３】同実施形態の遊技機の装飾部材、導光板部材が集合位置にあるときの正面図である。
【図４】同実施形態の遊技機の遊技盤部の概略正面図である。
【図５】同実施形態の遊技機の盤側役物装置（導光板表示装置）の正面図である。
【図６】上側ユニットの装飾部材、導光板部材が待機位置にあるときの正面図である。
【図７】上側ユニットの装飾部材、導光板部材が集合位置にあるときの正面図である。
【図８−１】上側ユニットの装飾部材、導光板部材が待機位置にあるときにおいて後側から順に部材を現した機構説明正面図である。
【図８−２】図８−１の続きである。
【図８−３】図８−２の続きである。
【図９】図８−３（ｇ）における（ａ）は上側ユニットの左側面図であり、（ｂ）は右側面図である。
【図１０−１】上側ユニットの装飾部材、導光板部材が集合位置にあるときにおいて後側から順に部材を現した機構説明正面図である。
【図１０−２】図１０−１の続きである。
【図１０−３】図１０−２の続きである。
【図１１】図１０−３（ｇ）における（ａ）は上側ユニットの左側面図であり、（ｂ）は右側面図である。
【図１２】上側ユニットの装飾部材、導光板部材が待機位置にあるときの部分分解斜視図である。
【図１３】導光板の発光原理の説明図である。
【図１４】左側ユニットの装飾部材、導光板部材が待機位置にあるときの（ａ）は正面図、（ｂ）は左側面図である。
【図１５】左側ユニットの装飾部材、導光板部材が集合位置にあるときの（ａ）は正面図、（ｂ）は左側面図である。
【図１６】左側ユニットの装飾部材、導光板部材が待機位置にあるときの後ケースを外した背面図である。
【図１７】左側ユニットの装飾部材、導光板部材が集合位置にあるときの後ケースを外した背面図である。
【図１８】左側ユニットの後ケースの背面図である。
【図１９】左側ユニットの装飾部材、導光板部材が待機位置にあるときにおいて前側から順に部材を現した機構説明背面図である。
【図２０】左側ユニットの装飾部材、導光板部材が集合位置にあるときにおいて前側から順に部材を現した機構説明背面図である。
【図２１】図２０の続きである。
【図２２】左側ユニットの部分分解斜視図である。
【図２３】右側ユニットの装飾部材、導光板部材が待機位置にあるときの（ａ）は正面図、（ｂ）は右側面図である。
【図２４】右側ユニットの装飾部材、導光板部材が集合位置にあるときの（ａ）は正面図、（ｂ）は右側面図である。
【図２５】右側ユニットの装飾部材、導光板部材が待機位置にあるときの後ケースを外した背面図である。
【図２６】右側ユニットの装飾部材、導光板部材が集合位置にあるときの後ケースを外した背面図である。
【図２７】右側ユニットの後ケースの背面図である。
【図２８】右側ユニットの装飾部材、導光板部材が待機位置にあるときにおいて前側から順に部材を現した機構説明背面図である。
【図２９】右側ユニットの装飾部材、導光板部材が集合位置にあるときにおいて前側から順に部材を現した機構説明背面図である。
【図３０】図２９の続きである。
【図３１】右側ユニットの装飾部材、導光板部材が待機位置にあるときの部分分解斜視図である。
【図３２】下側ユニットの装飾部材、導光板部材が待機位置にあるときの正面図である。
【図３３】下側ユニットの装飾部材、導光板部材が集合位置にあるときの正面図である。
【図３４】下左ユニット、下右ユニットの装飾部材、導光板部材が待機位置にあるときにおいて後側から順に部材を現した機構説明正面図である。
【図３５】図３４の続きである。
【図３６】図３５の続きであり、（ａ−８）は（ａ−７）の左側面図、（ａ−９）は（ａ−７）の右側面図、（ｂ−８）は（ｂ−７）の左側面図、（ｂ−９）は（ｂ−７）の右側面図、
【図３７】下左ユニット、下右ユニットの装飾部材、導光板部材が集合位置にあるときおける図３４の（ａ−３）、（ｂ−３）に対応する図である。
【図３８】下左ユニット、下右ユニットの装飾部材、導光板部材が集合位置にあるときおける図３５の（ａ−４）、（ｂ−４）に対応する図である。
【図３９】下左ユニット、下右ユニットの装飾部材、導光板部材が集合位置にあるときおける図３４の（ａ−６）、（ｂ−６）に対応する図である。
【図４０】下左ユニット、下右ユニットの装飾部材、導光板部材が集合位置にあるときおける図３６の（ａ−７）（ａ−８）、（ａ−９）に対応する図である。
【図４１】下左ユニット、下右ユニットの装飾部材、導光板部材が集合位置にあるときおける図３６の（ｂ−７）（ｂ−８）、（ｂ−９）に対応する図である。
【図４２】下左ユニット、下右ユニットの装飾部材、導光板部材が待機位置にあるときにおける背面上側からみた斜視図である。
【図４３】下左ユニット、下右ユニットの装飾部材、導光板部材が待機位置にあるときにおける背面下側からみた斜視図である。
【図４４】下左ユニット、下右ユニットの装飾部材、導光板部材が集合位置にあるときにおける背面上側からみた斜視図である。
【図４５】下左ユニット、下右ユニットの装飾部材、導光板部材が集合位置にあるときにおける背面下側からみた斜視図である。
【図４６】下左ユニット、下右ユニットの装飾部材、導光板部材が待機位置にあるときの部分分解斜視図である。
【図４７】ノーマルリーチハズレの場合の演出例である。
【図４８】ノーマルリーチハズレの場合の他の演出例である。
【図４９】ＳＰリーチハズレの場合の演出例である。
【図５０】ＳＰリーチハズレの場合の他の演出例である。
【図５１】ＳＰＳＰリーチ大当たりの場合の演出例である。
【発明を実施するための形態】
【００１０】
図１、２に示すように、実施形態の遊技機１は、パチンコ遊技機であり、前面枠１０の内側に取着された遊技盤２を備えている。遊技盤２には、ハンドル１１の操作により発射された遊技球が流下する遊技領域３が、レール部材１２で囲まれて形成されている。遊技領域３には、遊技球を誘導する遊技釘（図示せず）が多数突設されている。遊技盤２には、盤ランプ１９が配設され、前面枠１０には、スピーカ１７及び枠ランプ１８が配設されている。また、前面枠１０には、遊技者が操作可能な演出ボタン３０及び演出キー３１が設けられている。ここで、本明細書中、上下とは、遊技を行うために遊技機１を立設した状態における上下をいい、左右は、遊技盤２の遊技領域３に向かって左右をいうものとする。
【００１１】
遊技盤２の中央部には、メイン液晶表示装置６の液晶画面６ａが配置されるとともに、盤側役物装置４１が配置されている。メイン液晶表示装置６は、客待ち用の客待ち演出画像、変動演出画像、大当たり遊技用の大当たり演出画像など、種々の演出用の画像を液晶画面６ａに表示する。変動演出画像は、数字等の装飾図柄を変動させた後停止させ、その停止させた装飾図柄により、大当たり判定の結果を報知するものである。この変動演出画像を用いた演出を、以下、「装飾図柄変動演出」、あるいは、「変動演出」という。変動演出は、後述する特別図柄変動に並行して行われる。
【００１２】
遊技領域３の中央下部には、始動入賞装置５が設けられている。始動入賞装置５は、常時遊技球が入球可能な第１始動口５ａと、扉式の電動チューリップ（以下、「電チュー」と略す。）５ｃを備えて電チュー５ｃが開いているときのみ遊技球が入球可能な第２始動口５ｂとを備えている。電チュー５ｃは、ソレノイド等からなる電チュー開閉部材５ｆにより開閉される。
【００１３】
また、遊技領域３には、特定入賞装置４と、大入賞装置７と、ゲート８と、複数の普通入賞装置９とが設けられている。各普通入賞装置９に入った遊技球は、その普通入賞装置９内の普通入賞口９ａに入球し、普通入賞口スイッチ９ｂにより検出される。ゲート８は、遊技領域３の右側中央部に設けられ、遊技球が通過可能に構成されて、ゲート８を通過した遊技球は、ゲートスイッチ８ａにより検出される。
【００１４】
大入賞装置７は、遊技領域３の右側下部に配置されており、大入賞口開閉部材７ｃにより開閉される大入賞口７ａを備え、大入賞口７ａに入球した遊技球は、大入賞口スイッチ７ｂにより検出される。
【００１５】
特定入賞装置４は、遊技領域３の右側部において、ゲート８より下側であって大入賞装置７より上側に配置されており、特定入賞口開閉部材４ｂにより開閉される特定入賞口４ａを備えるとともに、特定入賞口４ａに入球した遊技球が流下する通路上にＶ入賞口開閉部材４ｃにより開閉されるＶ入賞口（特定領域）４ｄを有している。特定入賞口４ａに入球した遊技球は、Ｖ入賞口開閉部材４ｃがＶ入賞口４ｄを開放しているときは、Ｖ入賞口４ｄに入球し、Ｖ入賞口開閉部材４ｃがＶ入賞口４ｄを閉塞しているときは、ハズレ入賞口４ｅに入球する。特定入賞口４ａに入球した遊技球は、特定入賞口スイッチ４ｆにより検出され、Ｖ入賞口４ｄに入球した遊技球は、Ｖ入賞口スイッチ４ｇにより検出され、ハズレ入賞口４ｅに入球した遊技球は、ハズレ入賞口スイッチ４ｈにより検出される。
【００１６】
上述したように、ゲート８、特定入賞装置４、及び、大入賞装置７は、遊技領域３の右側部に設けられており、遊技者が遊技領域３の右側を狙った所謂右打ちをすることにより、入球可能となっている。また、遊技釘等の配置により、第１始動口５ａは右打ちでは入球しないが、第２始動口５ｂは右打ちでも入球するように構成されている。したがって、大入賞口７ａが開閉される大当たり遊技においては、遊技者は右打ちを行うことにより、大入賞口７ａに遊技球を入球させて、その入球数に応じた賞球を得られることとなる。
【００１７】
また、後述する時短遊技状態においても、遊技者は右打ちを行うことにより遊技球がゲート８を通過するようにして、後述するように第２始動口５ｂが開放される補助遊技の発生を狙う。そして、補助遊技中も右打ちにより第２始動口５ｂに入球させて、後述するように特定入賞口４ａが開閉される小当たり遊技の発生を狙い、小当たり遊技が発生すると、特定入賞口４ａに入球させ、後述する２種大当たりによる大当たり遊技の発生を狙うこととなる。すなわち、時短遊技状態中は、遊技者は右打ちを行うこととなる。一方、後述する通常遊技状態では、第２始動口５ｂに入球し難いため、遊技者は第１始動口５ａを狙って遊技領域３の左側に遊技球を発射し、右打ちは行わないこととなる。なお、ハズレ入賞口４ｅに遊技球が入るとアウト口３３に入り排出される。
【００１８】
遊技領域３の外側には、複数のランプからなる表示器１４が設けられ、表示器１４には、第１特別図柄表示器１４ａ、第２特別図柄表示器１４ｂ、普通図柄表示器１４ｃ、第１特別図柄保留ランプ１４ｄ、及び、普通図柄保留ランプ１４ｅが含まれている。第１特別図柄表示器１４ａは、遊技球の第１始動口５ａへの入球に基づいて行われる判定（以下、「第１特別図柄判定」という。）の結果を報知するものであり、図柄を変動表示してから判定結果を示す判定図柄を停止表示する図柄変動を行う。第１特別図柄判定においては、大当たりか否かを判定し、大当たりと判定した場合には、その大当たりの種類を判定する。第２特別図柄表示器１４ｂは、遊技球の第２始動口５ｂへの入球に基づいて行われる判定（以下、「第２特別図柄判定」という。）の結果を報知するものであり、図柄を変動表示してから判定結果を示す判定図柄を停止表示する図柄変動を行う。第２特別図柄判定においては、大当たりか否かを判定し、大当たりと判定した場合には、その大当たりの種類を判定し、一方、大当たりでないと判定した場合は、小当たりか否かを判定し、小当たりと判定した場合には小当たりの種類を判定する。小当たりの種類は、その小当たりに基づく大当たり（後述する２種大当たり）が発生した場合の大当たりの種類を示しており、したがって、小当たりの種類の判定とは、大当たり（２種大当たり）の種類の判定と換言できる。なお、第１特別図柄判定及び第２特別図柄判定においては、リーチ演出を行うか否か、及び、どの変動パターンを用いるかの判定も行われる。
【００１９】
以下、第１特別図柄表示器１４ａ、第２特別図柄表示器１４ｂに表示される図柄を、判定図柄も含めて、それぞれ第１特別図柄、第２特別図柄といい、それらを総称して「特別図柄」という。また、第１特別図柄表示器１４ａ、第２特別図柄表示器１４ｂに停止表示される判定図柄をそれぞれ第１判定図柄、第２判定図柄という。また、第１特別図柄の図柄変動、第２特別図柄の図柄変動をそれぞれ第１特別図柄変動、第２特別図柄変動といい、それらを総称して「特別図柄変動」という。また、第１特別図柄判定及び第２特別図柄判定を総称して、「特別図柄判定」又は「大当たり判定」という。
【００２０】
第１特別図柄判定又は第２特別図柄判定の結果を示す判定図柄が大当たりを示す図柄（以下、「大当たり図柄」という。）であれば、大入賞口７ａを所定回数開閉する大当たり遊技が行われる。このように、判定図柄が大当たり図柄であるときの大当たりを、１種大当たりという。また、第２特別図柄判定の結果を示す判定図柄が小当たりを示す判定図柄（以下、「小当たり図柄」という。）であれば、特定入賞口４ａを所定回数開閉する小当たり遊技が行われ、小当たり遊技中にはＶ入賞口４ｄが一時的に開放される。そして、小当たり遊技中に特定入賞口４ａに入球した遊技球がＶ入賞口４ｄに入球すると、小当たりに基づく大当たりとなって、大入賞口７ａを所定回数開閉する大当たり遊技が行われる。小当たりに基づく大当たり、すなわち、遊技球がＶ入賞口４ｄに入球することにより発生する大当たりを、２種大当たりという。第１特別図柄判定による大当たりは全て１種大当たりであるが、第２特別図柄判定による大当たりは、１種大当たりの場合と２種大当たりの場合とがある。以下、大当たり遊技と小当たり遊技とを総称して「特別遊技」といい、特別遊技に伴う演出を「当たり演出」という。大当たり判定は、遊技球の第１始動口５ａ又は第２始動口５ｂへの入球を所定の始動条件として、かかる始動条件の成立により遊技者に有利な特別遊技を行うか否かを判定するものである。
【００２１】
特別図柄変動中又は特別遊技中に、遊技球が第１始動口５ａに入球すると、メイン制御基板２０（図２参照）は、その入球に対しては即時特別図柄変動を実行できないとして、その入球に対して取得した大当たり乱数等の乱数を、所定個数を上限として保留記憶部２７に記憶する。そして、特別図柄変動を実行可能になったとき（すなわち、特別図柄変動も特別遊技も行われていない状態になったとき）に、記憶しておいた乱数に基づいて大当たりか否かの判定を行い、特別図柄変動を実行する。すなわち、特別図柄変動中又は特別遊技中に遊技球が第１始動口５ａに入球すると、遊技機１は、その入球に基づく大当たり判定の権利を保留する。第１特別図柄保留ランプ１４ｄは、かかる保留された権利の個数を表示するものである。なお、保留される権利の個数は、上述したように所定個数（ここでは４個）が上限とされているため、その所定個数保留されている状態で遊技球が第１始動口５ａに入球しても、その入球に対する大当たり判定の権利は保留されない。
【００２２】
一方、特別図柄変動中又は特別遊技中に、遊技球が第２始動口５ｂに入球しても、遊技機１はその入球に基づく大当たり判定の権利は保留せず、その入球に基づく大当たり判定及び特別図柄変動は実行しない。すなわち、第１特別図柄変動と第２特別図柄変動とは同時には行われない。そして、特別図柄変動及び特別遊技のいずれも行われていない場合において、第１始動口５ａへの入球に基づく大当たり判定の権利が保留されているときには、その保留された権利に基づく大当たり判定及び特別図柄変動が行われて、その間に第２始動口５ｂに遊技球が入球してもその入球に対する大当たり判定及び特別図柄変動は行われない。一方、特別図柄変動及び特別遊技のいずれも行われていない場合において、第１始動口５ａへの入球に基づく大当たり判定の権利が保留されていないときに、第２始動口５ｂに遊技球が入球すると、その入球に対する大当たり判定及び特別図柄変動が行われる。
【００２３】
普通図柄表示器１４ｃは、ゲート８への遊技球の通過を契機として行われる普通図柄判定の結果を、変動表示を経て停止表示される普通図柄により報知するものである。停止表示された普通図柄が当たり図柄であれば、所定時間及び所定回数、電チュー５ｃを開く（すなわち、第２始動口５ｂを開放する）補助遊技が行われる。
【００２４】
普通図柄の変動表示中又は補助遊技中に、遊技球がゲート８を通過すると、メイン制御基板２０は、その通過に対しては即時普通図柄変動を実行できないとして、その通過に対して取得した当たり乱数を記憶する。そして、普通図柄の変動表示を開始可能な状態になったとき（すなわち、普通図柄の変動表示も補助遊技も行われていない状態になったとき）に、記憶しておいた当たり乱数を用いて当たりか否かの普通図柄判定を行い、普通図柄の変動表示を開始して、その判定結果を示す普通図柄を停止表示する。すなわち、普通図柄の変動中又は補助遊技中に遊技球がゲート８を通過すると、遊技機１は、その通過に基づく普通図柄判定の権利を保留する。普通図柄保留ランプ１４ｅは、かかる保留された権利の個数を表示するものである。なお、保留される権利の個数は、所定個数（ここでは４個）が上限とされているため、その所定個数保留されている状態で遊技球がゲート８を通過しても、その通過に対する普通図柄判定の権利は保留されない。
【００２５】
次に、図２に基づいて遊技機１の電気系統について説明する。実施形態の遊技機１は、メイン制御基板２０、払出制御基板２１、サブ制御基板２５を備え、サブ制御基板２５は、演出制御基板２２、画像音響制御基板２３、及び、ランプ制御基板２４を備えている。そして、払出制御基板２１及び演出制御基板２２はメイン制御基板２０に接続され、画像音響制御基板２３及びランプ制御基板２４は演出制御基板２２に接続されている。各制御基板は、ＣＰＵ、ＲＯＭ、ＲＡＭ等を備えている。また、メイン制御基板２０は、ＲＡＭ内に保留記憶部２７を備えている。
【００２６】
メイン制御基板２０は、大当たりの抽選や遊技状態の移行など主に利益に関わる制御を行うものである。メイン制御基板２０には、第１始動口５ａに入球した遊技球を検出する第１始動口スイッチ５ｄ及び第２始動口５ｂに入球した遊技球を検出する第２始動口スイッチ５ｅの他、上述した特定入賞口開閉部材４ｂ、Ｖ入賞口開閉部材４ｃ、電チュー開閉部材５ｆ、ゲートスイッチ８ａ、大入賞口スイッチ７ｂ、大入賞口開閉部材７ｃ、各普通入賞口スイッチ９ｂ、第１特別図柄保留ランプ１４ｄ、普通図柄保留ランプ１４ｅ、第１特別図柄表示器１４ａ、第２特別図柄表示器１４ｂ、普通図柄表示器１４ｃがそれぞれ接続され、図２に矢印で示すように、各スイッチからはメイン制御基板２０に信号が入力され、各開閉部材やランプ等にはメイン制御基板２０から信号が出力される。
【００２７】
また、メイン制御基板２０は、払出制御基板２１に各種コマンドを送信するとともに、払い出し監視のために払出制御基板２１から信号を受信する。払出制御基板２１には、図示しない払出装置を駆動する払出駆動モータ２６が接続され、払出制御基板２１は、メイン制御基板２０から受信したコマンドに従って払出駆動モータ２６を動作させ、賞球の払出を行わせる。
【００２８】
さらに、メイン制御基板２０は、演出制御基板２２に対し各種コマンドを送信する。演出制御基板２２は、ＲＴＣ（リアルタイムクロック）２８を備え、画像音響制御基板２３との間でコマンドや信号の送受信を行う。ＲＴＣ２８は、現時点の日時（日付及び時刻）を計測するものであり、遊技機１に図示しない島電源供給装置から電力が供給されているときにはその電力によって動作し、島電源供給装置から電力が供給されていないときには遊技機１に内蔵されている図示しないバックアップ電源から供給される電力によって動作する。このため、ＲＴＣ２８は、遊技機１の電源が投入されていないときにも現在の日時を計測することができる。画像音響制御基板２３にはメイン液晶表示装置６及びスピーカ１７が接続され、画像音響制御基板２３は、演出制御基板２２から受信したコマンドに従って、メイン液晶表示装置６の液晶画面６ａに画像を表示し、スピーカ１７から音声を出力する。また、演出制御基板２２は、ランプ制御基板２４との間でコマンドや信号の送受信を行う。ランプ制御基板２４には、演出ボタン３０、演出キー３１、枠ランプ１８、盤ランプ１９及び盤側役物装置４１が接続されている。
【００２９】
なお、演出ボタン３０は、図示しないラックピニオン、駆動モータ等により、演出ボタン３０がせり出された状態（突出状態）と、演出ボタン３０の押圧部が収納された状態（待機状態）とに、移動可能に構成される。また、演出ボタン３０内には、図示しないＬＥＤを有したＬＥＤ基板が内蔵されて発光可能とされている。
【００３０】
遊技盤部４０は、図１、３、４等に示すように、遊技盤２と、盤側役物装置４１と、ベース枠体４２と、で構成されている。図４においては、遊技盤２、メイン液晶表示装置６を省略してある。
【００３１】
盤側役物装置４１は、導光板表示装置５０を有している。
【００３２】
ベース枠体４２は、後側中央にメイン液晶表示装置６の液晶画面６ａと略同一の大きさに形成された略矩形状の開口部４２ａを有している。開口部４２ａにメイン液晶表示装置６が取り付けられて、液晶画面６ａが前方から視認可能となる。
【００３３】
ベース枠体４２が遊技盤２に取り付けられた状態において、ベース枠体４２と遊技盤２との間に形成される略閉鎖された内部空間には、導光板表示装置５０が配置される。換言すれば、導光板表示装置５０は、遊技盤２の開口部２ａに取り付けられて、遊技盤２と、ベース枠体４２とに囲まれる内部空間にそれぞれ配置されることになる。
【００３４】
盤側役物装置４１を構成する、導光板表示装置５０は、図示しない中継基板を介して、サブ制御基板２５のランプ制御基板２４と接続されて動作、表示等が制御され、さらにメイン制御基板２０と接続されている（図２参照）。
【００３５】
遊技盤２には、図１、３に示すように、中央部に開口部２ａが形成され、開口部２ａを囲むように導光板表示装置５０が配置されている。
【００３６】
導光板表示装置５０は、図４、５に示すように、上側ユニット１００と、下側ユニット６００と、左側ユニット２００と、右側ユニット４００と、を有して略矩形枠体状に形成されている。上側ユニット１００と、下側ユニット６００と、左側ユニット２００と、右側ユニット４００は、ベース枠体４２の開口部４２ａの周辺に配設される、図示しない金属製の矩形枠状の枠フレームに取り付けられている
【００３７】
導光板表示装置５０は、装飾部材１０００（区別するときは、装飾部材１０００Ａ、１０００Ｂ、１０００Ｃ、１０００Ｄ、１０００Ｅ、１０００Ｆ、１０００Ｇ、１０００Ｈ、と表記する）と、導光板部材２０００（区別するときは、導光板部材２０００Ａ、２０００Ｂ、２０００Ｃ、２０００Ｄ、２０００Ｅ、２０００Ｆ、２０００Ｇ、２０００Ｈ、と表記する）と、それぞれ八個備えている。装飾部材１０００及び導光板部材２０００は、図１、４に示す待機位置と、図３，５に示す集合位置と、に移動可能である。
【００３８】
上側ユニット１００は、図６〜１２に示すように、固定部１１０と、可動部１３０と、を備えている。
【００３９】
固定部１１０は、図６〜１２に示すように、前ケース１１１と、後ケース１２５と、を有し、前後方向において重ね合わされ略箱状に形成されている。
【００４０】
前ケース１１１には、前後方向において貫通する貫通孔として形成された、第一ガイド溝１１２（区別するときは、第一ガイド溝１１２Ａ、１１２Ｂと表記する）と、第一ガイド溝１１２Ａ、１１２Ｂより左右方向における中央側に配置される第二ガイド溝１１３（区別するときは、第二ガイド溝１１３Ａ、１１３Ｂと表記する）と、が配設されている。
【００４１】
第一ガイド溝１１２は、左側に位置する第一ガイド溝１１２Ａと、右側に位置する第一ガイド溝１１２Ｂと、で構成される。第二ガイド溝１１３は、左側に位置する第二ガイド溝１１３Ａと、右側に位置する第二ガイド溝１１３Ｂと、で構成される。
【００４２】
前ケース１１１と、後ケース１２５と、を備える固定部１１０には、電動モータ１１４と、駆動ギア１１５と、ラック１１９ｃを備えた上ラック部材１１９と、ラック１２０ｃを備えた下ラック部材１２０と、作動ギア１２１と、を備えている。
【００４３】
電動モータ１１４、駆動ギア１１５、は、取付ブラケット１２６を介して後ケース１２５に取り付けられる。作動ギア１２１は、前ケース１１１と、後ケース１２５に支持されて回動軸を前後方向として固定部１１０に取り付けられている。
【００４４】
上ラック部材１１９、下ラック部材１２０には、左右方向に沿ってガイド溝１１９ａ、１２０ａが設けられ、後ケース１２５に設けられた図示しないガイドピン等が挿通され、左右方向に沿って移動することを許容されている。
【００４５】
上ラック部材１１９の左側の端部には、上下方向に沿った長孔状に形成されたガイド孔１１９ｂが形成されている。
【００４６】
下ラック部材１２０の右側の端部には、上下方向に沿った長孔状に形成されたガイド孔１２０ｂが形成されている。下ラック部材１２０の後面側には、後方に向かって突出して駆動ギア１１５と咬合する後ラック１２０ｄが配設され、電動モータ１１４の駆動力を、作動ギア１２１に伝達可能とされている。
【００４７】
上ラック部材１１９と下ラック部材１２０の間には、作動ギア１２１が配置されている。電動モータ１１４、駆動ギア１１５、下ラック部材１２０、作動ギア１２１、上ラック部材１１９の順に電動モータ１１４の駆動力が伝達される。駆動ギア１１５の回転により下ラック部材１２０が左右方向に沿って、作動ギア１２１の回転により、上ラック部材１１９が左右方向に沿って移動可能とされている。それに伴い、可動部１３０が移動可能となる。
【００４８】
可動部１３０は、図６〜１２に示すように、装飾部材１０００と、導光板部材２０００と、を備えている。装飾部材１０００は、左側に位置する装飾部材１０００Ａと、右側に位置する装飾部材１０００Ｂと、で構成される。導光板部材２０００は、左側に位置する導光板部材２０００Ａと、右側に位置する導光板部材２０００Ｂと、で構成される。装飾部材１０００と、導光板部材２０００の各構成については、形状が異なる等の差異はあるが、基本的には同様であるので共通する部分については、同じ符号を付し全部又は一部の説明を省略し、異なる部分について異なる符号を付し説明する。
【００４９】
装飾部材１０００Ａ、１０００Ｂは、光を透過しない単一の合成樹脂部材で形成され、一部が光を透過可能な光透過部１００１をそれぞれ有している。装飾部材１０００Ａ、１００Ｂは、後述する前導光板２０１０、後導光板２０２０の係止孔２０１１、２０２１、取付ガイド部材２０４０の係止突起２０４１、に対応する位置に二つの図示しない係止凹部を有している。装飾部材１０００Ａ、１０００Ｂは、対応する導光板部材２０００Ａ、２０００Ｂの前側に取り付けられる。
【００５０】
導光板部材２０００Ａ、２０００Ｂは、前導光板２０１０（区別するときは、前導光板２０１０Ａ、前導光板２０１０Ｂと表記する）と、後導光板２０２０（区別するときは、後導光板２０２０Ａ、後導光板２０２０Ｂと表記する）と、ＬＥＤ基板２０３０（区別するときは、ＬＥＤ基板２０３０Ａ、ＬＥＤ基板２０３０Ｂと表記する）と、取付ガイド部材２０４０（区別するときは、取付ガイド部材２０４０Ａ、取付ガイド部材２０４０Ｂと表記する）と、をそれぞれ備えている。
【００５１】
前導光板２０１０、後導光板２０２０は、図５に示す集合位置にあるときには前側からみて、遊技盤２の開口部２ａを略覆い可能に形成され、微細凹凸加工により、文字や絵柄等の表示情報を表す図示しないドットパターンが形成されている。実施形態では、前導光板２０１０のみにドットパターンが形成され、前導光板２０１０のドットパターンは、導光板部材２０００が集合した状態において、略同心円周上となるように配置されている。他の導光板部材２０００の前導光板２０１０と、後導光板２０２０についても同様である。
【００５２】
実施形態では、図５に示すように、各導光板部材２０００を構成する前導光板２０１０、後導光板２０２０は、集合した状態が作出された状態（集合位置にあるとき）において、見かけ上一枚の略卵形状のガラス板状となり、図４に示す集合状態が解除されたときそのガラスが割れたような形状に視認されるように、分割されて形成されている。
【００５３】
前導光板２０１０、後導光板２０２０には、図１２に示すように、後述する取付ガイド部材２０４０に形成される係止突起２０４１に対応する位置に、直径が係止突起２０４１より若干大きく形成されるとともに係止突起２０４１を挿入可能な係止孔２０１１、係止孔２０２１がそれぞれ二か所配設されている。
【００５４】
各係止孔２０１１、係止孔２０２１に、対応する係止突起２０４１を挿入させて、係止突起２０４１と係止することで、前導光板２０１０、後導光板２０２０の取付ガイド部材２０４０への取り付け位置の位置決めがなされる。
【００５５】
ＬＥＤ基板２０３０Ａ、２０３０Ｂは、合成樹脂製のプリント基板部２０３１と、プリント基板部２０３１よりも柔軟性を有したフレキシブル基板部２０３４と、を有している。
【００５６】
プリント基板部２０３１には、前導光板２０１０、後導光板２０２０の端面側に光を照射する端面照射ＬＥＤ２０３２と、前側に光を照射する第一前側照射ＬＥＤ２０３３と、が配設されている。
【００５７】
ＬＥＤ基板２０３０は、図示しない中継基板を介して、サブ制御基板２５のランプ制御基板２４と接続されて動作、表示等が制御される（図２参照）。
【００５８】
フレキシブル基板部２０３４には、前側に光を照射する第二前側照射ＬＥＤ２０３５が配設されている。
【００５９】
取付ガイド部材２０４０Ａ、Ｂの前面には、前導光板２０１０、後導光板２０２０の係止孔２０１１、係止孔２０２１に対応する位置に係止突起２０４１が二つ配設されている。
【００６０】
取付ガイド部材２０４０Ａ、Ｂには、略後方に向かって突出する第一ガイドピン２０４２、第二ガイドピン２０４３が配設されている。
【００６１】
第一ガイドピン２０４２は、図示していないが、円柱状の本体と、本体より大径に形成された大径部と、を有して本体が上ラック部材１１９のガイド孔１１９ｂ、下ラック部材１２０のガイド孔１２０ｂ及び第一ガイド溝１１２内を摺動して可動部１３０の移動をガイドし、大径部により上ラック部材１１９、下ラック部材１２０と当接することで可動部１３０が前側に移動することを規制する。
【００６２】
第二ガイドピン２０４３は、図示していないが、円柱状の本体と、本体より大径に形成された大径部と、を有して本体が第二ガイド溝１１３内を摺動して可動部１３０の移動をガイドし、大径部により前ケース１１１と当接して可動部１３０の移動をガイドする。
【００６３】
ＬＥＤ基板２０３０は、プリント基板部２０３１において、前導光板２０１０、後導光板２０２０と、装飾部材１０００と、取付ガイド部材２０４０とで前後方向において挟持されて組付けられ、さらに、フレキシブル基板部２０３４において、前導光板２０１０と、後導光板２０２０との間に配置されている。
【００６４】
導光板部材２０００は、第一ガイドピン２０４２が、対応する第一ガイド溝１１２、ガイド孔１１９ｂ、１２０ｂに挿通されて上ラック部材１１９に移動を許容されて連結される。第二ガイドピン２０４３が、対応する第二ガイド溝１１３に挿通されて前ケース１１１に対して移動を許容される。
【００６５】
導光板部材２０００の発光原理について説明すると、図１３に示すように、ドットパターンは、前導光板２０１０に入射した端面照射ＬＥＤ２０３２の光が反射して所望の文字や絵柄を表示させる溝とされている。また、第二前側照射ＬＥＤ２０３５が照射する光が、２０１０を通過して遊技者に視認される。また、第一前側照射ＬＥＤ２０３３が照射する光が、装飾部材１０００の光透過部１００１を透過して遊技者に視認される。なお、後導光板２０２０に端面照射ＬＥＤ２０３２が照射する光を入射させることも可能である。
【００６６】
上側ユニット１００の動作を説明する。電動モータ１１４の駆動力が、駆動ギア１１５、下ラック部材１２０、作動ギア１２１、上ラック部材１１９、の順に伝達されると、第一ガイド溝１１２には上側を頂部となるように屈曲する部分があるが、ガイド孔１１９ｂ、１２０ｂにより第一ガイドピン２０４２は、上下方向への移動を許容される。一方、第二ガイドピン２０４３は、第二ガイド溝１１３に案内される。
【００６７】
第一ガイド溝１１２は、屈曲しているので、装飾部材１０００、導光板部材２０００は、移動開始の際には、第一ガイドピン２０４２が斜め上側に進み、第二ガイドピン２０４３が斜め下側に進んで、横方向に移動する。そして、装飾部材１０００、導光板部材２０００は、第一ガイドピン２０４２が第一ガイド溝１１２の頂部を超えると、第一ガイドピン２０４２、第二ガイドピン２０４３ともに斜め下側に進んで、斜め下方向に移動する。
【００６８】
上述したように、導光板部材２０００Ａ、Ｂは、単純な円運動、直線運動は行われず、他の導光板部材２０００との動作にタイムラグが生じるように構成されている。
【００６９】
左側ユニット２００は、図１４、１５に示すように、固定部２１０と、可動部２４０と、を備えている。
【００７０】
固定部２１０は、図１４〜１８、２２に示すように、前ケース２１１と、後ケース２１２と、に分割されて構成され、内部に空間部分を有する箱状に形成されている。
【００７１】
固定部２１０には、電動モータ２１３と、駆動ギア２１４と、第一従動ギア２１５と、第二従動ギア２１６と、第三従動ギア２１７と、第四従動ギア２１８と、第五従動ギア２１９と、第六従動ギア２２０と、第七従動ギア２２１と、第八従動ギア２２２と、が配設されている。
【００７２】
可動部２４０を駆動する駆動力の伝達経路は、第四従動ギア２１８で二系統の伝達経路に分かれる。
【００７３】
電動モータ２１３と、駆動ギア２１４と、第一従動ギア２１５と、第二従動ギア２１６と、第三従動ギア２１７と、第四従動ギア２１８と、第五従動ギア２１９と、後述する上ラック部材２６３と、に駆動力が伝達される伝達経路と、電動モータ２１３と、駆動ギア２１４と、第一従動ギア２１５と、第二従動ギア２１６と、第三従動ギア２１７と、第四従動ギア２１８と、第六従動ギア２２０と、第七従動ギア２２１と、第八従動ギア２２２と、後述する下ラック部材２６４と、に駆動力が伝達される伝達経路と、がある。
【００７４】
また、第四従動ギア２１８と第六従動ギア２２０は、前側に突出する図示しない小径ギアを有する段付きギアが用いられ、第四従動ギア２１８と第六従動ギア２２０の小径ギアの間には歯付きベルト２２３が架け渡され、電動モータ２１３が配置されない下側の可動部２４０のガタつきを抑制している。前ケース２１１及び後ケース２１２には、テンションローラ２２４、２２５が回動可能にそれぞれ配設され、歯付きベルト２２３と当接して、歯付きベルト２２３に張力を付与している。
【００７５】
固定部２１０の、上部には左右方向に沿って第一スライド軸２２６が配設され、下部には左右方向に沿って第二スライド軸２２７が配設されている。
【００７６】
第一スライド軸２２６に対して左右方向にスライド可能な第一スライダガイド２２８と、第二スライド軸２２７に対して左右方向にスライド可能な第二スライダガイド２２９と、を有している。
【００７７】
第一スライダガイド２２８は、後述する可動部２４０を構成するベース部材２６０の上端部と連結され、第二スライダガイド２２９は、後述する可動部２４０を構成するベース部材２６０の下端部と連結され、可動部２４０の移動をガイドする。
【００７８】
第一スライド軸２２６の前側には、後述するカム部材２６１に電動モータ２１３からの駆動力を伝達可能とするカム用ラック部材２３０が配設されている。
【００７９】
可動部２４０は、図１４〜２２に示すように、可動台座部材２５０と、装飾部材１０００Ｃ、１０００Ｄと、導光板部材２０００Ｃ、２０００Ｄと、を備え、固定部２１０に対して左右方向に移動可能とされている。
【００８０】
可動台座部材２５０は、ベース部材２６０と、前ガイド部材２７０と、押し部材２８０と、を備えている。
【００８１】
ベース部材２６０の前面側には、カム部材２６１と、カム用従動ギア２６２と、が前後方向を軸として回動可能に配設されている。
【００８２】
カム部材２６１は、歯付きギアが用いられ、カム用ラック部材２３０、カム用従動ギア２６２を介して電動モータ２１３の駆動力が伝達される。カム部材２６１には、前後方向からみて円形状の外周縁部から、径方向外側の位置において前側に突出するガイドピン２６１ａが配設されて、後述する押し部材２８０に駆動力が伝達可能とされている。
【００８３】
ベース部材２６０の、上端部の後面には上ラック部材２６３が、下端部の後面には下ラック部材２６４が、それぞれ取り付けられている。
【００８４】
前ガイド部材２７０は、ベース部材２６０の前側に配置され、ベース部材２６０との間に押し部材２８０を配置可能な空間部分を有するように形成されている。
【００８５】
前ガイド部材２７０の、上下方向における中央部の左寄りの位置には、前面から後面まで円形状に貫通して、装飾部材１０００Ｃ、１０００Ｄの回転軸部分が挿通される軸孔２７１が二つ配置される。
【００８６】
前ガイド部材２７０の、上下方向における中央部の右寄りの位置には、前面から後面まで円形状に貫通して、導光板部材２０００Ｃ、２０００Ｄの回転軸部分が挿通される軸孔２７２が二つ配置される。導光板部材２０００Ｃ、２０００Ｄの回転軸は、左右方向に位置を若干ずらして配置されるとともに、前後方向からみて軸孔２７１に対して左斜め上、左斜め下方向に傾くように形成されている。
【００８７】
前ガイド部材２７０の前側における導光板部材２０００Ｃと対向する面は、左右方向からみて、上下方向に対して若干傾斜して(上側が後ろに下がっている状態)、かつ、上下方向からみて、左右方向に対して若干傾斜して(左側が後ろに下がっている状態)形成されて、導光板部材２０００Ｃ、２０００Ｄと干渉しないように形成されている。
【００８８】
前ガイド部材２７０の前側における導光板部材２０００Ｄと対向する面は、左右方向からみて、上下方向に対して若干傾斜して(下側が後ろに下がっている状態)、かつ、上下方向からみて、左右方向に対して若干傾斜して(左側が後ろに下がっている状態)形成されて、導光板部材２０００Ｃ、２０００Ｄと干渉しないように形成されている。
【００８９】
そして、導光板部材２０００が集合した状態において、外周縁部側に対して中央部が若干突出する略円錐形状を取り得ることとされている。
【００９０】
前ガイド部材２７０には、軸孔２７２と同心円周上に前面から後面まで円弧長孔状に貫通して形成された第一ガイド溝２７３が形成され、第一ガイド溝２７３に導光板部材２０００Ｃ、２０００Ｄの後述する後挟持部材２０６０の第一ガイドピン２０６１が挿通され、導光板部材２０００Ｃ、２０００Ｄの移動を規制可能としている。第一ガイド溝２７３は、上側に位置する第一ガイド溝２７３Ａと、下側に位置する第一ガイド溝２７３Ｂと、で構成される。
【００９１】
前ガイド部材２７０には、軸孔２７１と同心円周上に前面から後面まで円弧長孔状に貫通して形成された第二ガイド溝２７４が形成され、上第二ガイド溝に装飾部材１０００Ｃ、１０００Ｄを軸支する後述する軸支部材１０１０の第二ガイドピン１０１１が挿通され、装飾部材１０００Ｃ、１０００Ｄの移動を規制可能としている。第二ガイド溝２７４は、上側に位置する第二ガイド溝２７４Ａと、下側に位置する第二ガイド溝２７４Ｂと、で構成される。
【００９２】
前ガイド部材２７０の後面からは、略前後方向に沿って突出する上ガイドピン２７５、下ガイドピン２７６が配設されている。上ガイドピン２７５、下ガイドピン２７６は、後述する押し部材２８０の上ガイド溝２８２、下ガイド溝２８３にそれぞれ挿通可能とされ、押し部材２８０の移動を規制可能とされている。
【００９３】
押し部材２８０は、上下方向に長尺に形成され、前後方向において、ベース部材２６０と前ガイド部材２７０との間に配置される。
【００９４】
押し部材２８０の上端部には、前面から後面まで貫通して略左右方向に長い長孔状に形成されたガイド孔２８１が配設されている。
【００９５】
ガイド孔２８１には、カム部材２６１のガイドピン２６１ａが挿通され、カム部材２６１の回転により、押し部材２８０が略上下方向に移動して、導光板部材２０００Ｃ、２０００Ｄに作用して、導光板部材２０００Ｃ、２０００Ｄが可動台座部材２５０に対して回動可能とされている。
【００９６】
押し部材２８０の上部と下部には、前面から後面まで上下方向に沿った長孔状に貫通して形成された上ガイド溝２８２、下ガイド溝２８３が配設されている。上ガイド溝２８２、下ガイド溝２８３には、前ガイド部材２７０の後面から延設された上ガイドピン２７５、下ガイドピン２７６が挿通され、押し部材２８０が上下、左右方向への移動することを規制する。
【００９７】
上下方向において、上ガイド溝２８２、下ガイド溝２８３の間には、前面から後面まで長孔状に貫通して形成された上導光板部材ガイド溝２８４、下導光板部材ガイド溝２８５が配設されている。
【００９８】
上導光板部材ガイド溝２８４、下導光板部材ガイド溝２８５は、下端側が上下方向に沿った長孔状に形成され、上下方向における途中で左斜め上側に屈曲する長孔状に形成されている。
【００９９】
上導光板部材ガイド溝２８４、下導光板部材ガイド溝２８５には、後述する導光板部材２０００Ｃ、２０００Ｄの後挟持部材２０６０の軸部分と連結される、リンク部材２０６３から突設するガイドピン２０６４が挿通可能とされている。ガイドピン２０６４の左右方向における位置の変位により、導光板部材２０００Ｃ、２０００Ｄが回動することになる。詳細は後述する。
【０１００】
装飾部材１０００は、上側に位置する装飾部材１０００Ｃと、下側に位置する装飾部材１０００Ｄと、で構成される。導光板部材２０００は、上側に位置する導光板部材２０００Ｃと、下側に位置する導光板部材２０００Ｄと、で構成される。装飾部材１０００、導光板部材２０００について、上側ユニット１００と同様の構成については、同じ符号を付し全部又は一部の説明を省略する。
【０１０１】
装飾部材１０００Ｃ、１０００Ｄは、光を透過しない合成樹脂で形成され、一部が光を透過可能な光透過部１００１を有している。上側ユニット１００の装飾部材１０００Ａ、１０００Ｂと異なり、導光板部材２０００Ｃ、２０００Ｄとは別体で構成されている。
【０１０２】
装飾部材１０００Ｃ、１０００Ｄには、後面から後側に突設され軸支部材１０１０に取り付けられるとともに、導光板部材２０００Ｃ、２０００Ｄの第二当て部２０７０と当接可能とされる第一ガイドピン１００３が配設されている。また、装飾部材１０００Ｄには、後述する前挟持部材２０５０の当て部２０５２と当接可能な当接ピン１００４が配設されている。
【０１０３】
装飾部材１０００Ｃ、１０００Ｄには、軸支部材１０１０が取り付けられている。軸支部材１０１０は、軸孔２７１からずれた位置において装飾部材１０００Ｃ、１０００Ｄに取り付けられるとともに、前ガイド部材２７０に対して略前後方向を軸として軸孔２７１に回動可能に取り付けられる。装飾部材１０００Ｃ、１０００Ｄは、軸支部材１０１０を介して前ガイド部材２７０に対して回動可能に取り付けられていることになる。
【０１０４】
軸支部材１０１０（区別するときは、軸支部材１０１０Ｃ、軸支部材１０１０Ｄと表記する）には、後面から後方に突出する第二ガイドピン１０１１が配設されている。第二ガイドピン１０１１は、前ガイド部材２７０の第二ガイド溝２７４に挿通可能とされ、軸支部材１０１０を介して、装飾部材１０００Ｃ、１０００Ｄの移動が規制される。
【０１０５】
導光板部材２０００Ｃ、２０００Ｄは、前導光板２０１０（区別するときは、前導光板２０１０Ｃ、前導光板２０１０Ｄと表記する）と、後導光板２０２０（区別するときは、後導光板２０２０Ｃ、後導光板２０２０Ｄと表記する）と、ＬＥＤ基板２０３０（区別するときは、ＬＥＤ基板２０３０Ｃ、ＬＥＤ基板２０３０Ｄと表記する）と、前挟持部材２０５０（区別するときは、前挟持部材２０５０Ｃ、前挟持部材２０５０Ｄと表記する）と、後挟持部材２０６０（区別するときは、後挟持部材２０６０Ｃ、後挟持部材２０６０Ｄと表記する）と、を備えている。
【０１０６】
前導光板２０１０、後導光板２０２０には、図２２に示すように、後述する後挟持部材２０６０に形成される係止突起２０６６に対応する位置に、直径が係止突起２０６６より若干大きく形成されるとともに係止突起２０６６を挿入可能な係止孔２０１１、２０２１がそれぞれ二か所配設されている。
【０１０７】
各係止孔２０１１、２０２１に、対応する係止突起２０６６を挿入させて係止することで、前導光板２０１０、後導光板２０２０の後挟持部材２０６０への取り付け位置の位置決めがなされる。
【０１０８】
ＬＥＤ基板２０３０は、合成樹脂製のプリント基板部２０３１と、プリント基板部２０３１よりも柔軟性を有したフレキシブル基板部２０３４と、を有している。
【０１０９】
プリント基板部２０３１には、前導光板２０１０の端面側に光を照射する端面照射ＬＥＤ２０３２と、前側に光を照射する第一前側照射ＬＥＤ２０３３と、が配設されている。
【０１１０】
フレキシブル基板部２０３４には、前側に光を照射する第二前側照射ＬＥＤ２０３５が配設されている。
【０１１１】
ＬＥＤ基板２０３０は、プリント基板部２０３１において、前挟持部材２０５０と、前導光板２０１０及び後導光板２０２０の一部と、後挟持部材２０６０とで前後方向において挟持されて組付けられ、さらに、ＬＥＤ基板２０３０は、フレキシブル基板部２０３４において、前導光板２０１０と、後導光板２０２０と、の間に配置されている。
【０１１２】
ＬＥＤ基板２０３０は、図示しない中継基板を介して、サブ制御基板２５のランプ制御基板２４と接続されて動作、表示等が制御される（図２参照）。
【０１１３】
前挟持部材２０５０Ｄは、ＬＥＤ基板２０３０のプリント基板部２０３１の前側に配置され、前導光板２０１０、後導光板２０２０の係止孔２０１１、２０２１、後挟持部材２０６０の係止突起２０６６、に対応する位置に二つの図示しない係止凹部を有している。
【０１１４】
前挟持部材２０５０は、図１４に示す待機位置から集合位置に移動するときに、装飾部材１０００Ｄの当接ピン１００４と当接して、装飾部材１０００Ｄを集合位置側に押圧可能な当て部２０５２を有している。
【０１１５】
後挟持部材２０６０には、略後方に向かって突設される第一ガイドピン２０６１が設けられている。第一ガイドピン２０６１は、図示していないが、円柱状の本体と、本体より大径に形成された大径部と、を有して本体が前ガイド部材２７０の第一ガイド溝２７３内を摺動して可動部２４０の移動をガイドし、大径部により第一ガイド溝２７３の周辺の可動台座部材２５０と当接することで導光板部材２０００Ｃ、２０００Ｄが前側に移動することを規制する。
【０１１６】
後挟持部材２０６０は、前ガイド部材２７０に対して回動可能に取り付けられている。後挟持部材２０６０の後面からは、軸孔２７２に対応した軸ピン２０６２が、前後方向を軸線としたときに軸線に対して斜めとなるように延設されている。
【０１１７】
軸ピン２０６２の後端部には、リンク部材２０６３が取り付けられている。リンク部材２０６３は、リンク部材２０６３の長手方向における、一端において軸ピン２０６２と連結され、他端において後方に突出するガイドピン２０６４が配設されている。
【０１１８】
ガイドピン２０６４は、それぞれ上導光板部材ガイド溝２８４、下導光板部材ガイド溝２８５に挿通されて、押し部材２８０の上下方向における移動により、導光板部材２０００Ｃ、２０００Ｄを回動させる。
【０１１９】
後挟持部材２０６０には、外周縁部から前側に突出して形成され、待機位置から集合位置に移動するときに、装飾部材１０００Ｃを押圧可能とされる当て部２０６５がそれぞれ配設されている。
【０１２０】
後挟持部材２０６０の前面には、前導光板２０１０、後導光板２０２０の係止孔２０１１、２０２１、に対応する位置に係止突起２０６６が二つ配設されている。
【０１２１】
前挟持部材２０５０と後挟持部材２０６０とが重ね合わせて構成される導光板部材２０００Ｃ、２０００Ｄには、装飾部材１０００Ｃ、１０００Ｄの第一ガイドピン１００３に対応する位置には、第一ガイドピン１００３と当接可能とされる第二当て部２０７０が配設されている。
【０１２２】
プリント基板部２０３１は、待機位置から集合位置に移動したときに、前導光板２０１０の前側に取り付けられる装飾部材１０００Ｃ、１０００Ｄに形成された光透過部１００１と、に略前後方向において重なり合うように配設され、第一前側照射ＬＥＤ２０３３から照射される光を、光透過部１００１を介して遊技者に視認可能とされている。
【０１２３】
左側ユニット２００の動作について説明する。図１４、１６、１９に示す待機状態において、可動部２４０は、固定部２１０に対して、最も右側に位置する待機位置にあり、導光板部材２０００Ｃと導光板部材２０００Ｄ、装飾部材１０００Ｃと装飾部材１０００Ｄは、上下方向において開いて離隔した状態である待機位置にある。
【０１２４】
電動モータ２１３を駆動させると、電動モータ２１３、駆動ギア２１４、第一従動ギア２１５、第二従動ギア２１６、第三従動ギア２１７、第四従動ギア２１８、第五従動ギア２１９、上ラック部材２６３、の順に駆動力が伝達される。
【０１２５】
一方、第四従動ギア２１８から分岐して、歯付きベルト２２３を介して、第六従動ギア２２０、第七従動ギア２２１、第八従動ギア２２２、下ラック部材２６４、の順に駆動力が伝達される。
【０１２６】
以上の二つの駆動力の伝達により、可動部２４０が固定部２１０に対して、右側に移動する。可動部２４０の移動により、カム用ラック部材２３０と噛み合うカム用従動ギア２６２が回転し、カム部材２６１を回転させる。カム部材２６１が回転するとガイドピン２６１ａが円運動し、押し部材２８０を下側に押し下げる。
【０１２７】
このとき、上ガイド溝２８２、下ガイド溝２８３に挿通された上ガイドピン２７５、下ガイドピン２７６が、押し部材２８０の上下左右方向の移動を規制する。一方、上導光板部材ガイド溝２８４、下導光板部材ガイド溝２８５に挿通されたガイドピン２０６４は、次第に位置を右側に移動させる。上側のリンク部材２０６３は、ガイドピン２０６４が回転軸より上側となるように設定されているので、後側からみて、反時計回りに回って、図１５、１７、２０、２１に示すように、導光板部材２０００Ｃを反時計周りさせて集合状態に至らせる。下側のリンク部材２０６３は、ガイドピン２０６４が回転軸より下側となるように設定されているので、後側からみて、時計回りに回って、図１５、１７、２０、２１に示すように、導光板部材２０００Ｄを時計周りさせて集合状態に至らせる。
【０１２８】
後挟持部材２０６０の当て部２０６５が、装飾部材１０００Ｃを押圧して、装飾部材１０００Ｃを後側からみて、反時計周りに、前挟持部材２０５０の当て部２０５２が装飾部材１０００Ｃを押圧して、装飾部材１０００Ｄを後側からみて、時計周りにさせる。
【０１２９】
そして、図１５に示す、可動部２４０が固定部２１０に対して最も右よりに位置すると、導光板部材２０００Ｃ、２０００Ｄ、装飾部材１０００Ｃ、１０００Ｄが、集合する集合位置となる。
【０１３０】
集合位置から、待機位置に戻るときには、上記と逆順の動作が行われる。
【０１３１】
右側ユニット４００は、図２３〜３１に示すように、固定部４１０と、可動部４４０と、を備えている。
【０１３２】
固定部４１０は図２３〜２７、３１に示すように、前ケース４１１と、後ケース４１２と、に分割されて構成され、内部に空間部分を有する箱状に形成されている。
【０１３３】
固定部４１０には、電動モータ４１３と、駆動ギア４１４と、第一従動ギア４１５と、第二従動ギア４１６と、第三従動ギア４１７と、第四従動ギア４１８と、第五従動ギア４１９と、第六従動ギア４２０と、第七従動ギア４２１と、第八従動ギア４２２と、が配設されている。
【０１３４】
可動部４４０を駆動する駆動力の伝達経路は、第四従動ギア４１８で二系統の伝達経路に分かれる。
【０１３５】
電動モータ４１３と、駆動ギア４１４と、第一従動ギア４１５と、第二従動ギア４１６と、第三従動ギア４１７と、第四従動ギア４１８と、第五従動ギア４１９と、後述する上ラック部材４６３と、に駆動力が伝達される伝達経路と、電動モータ４１３と、駆動ギア４１４と、第一従動ギア４１５と、第二従動ギア４１６と、第三従動ギア４１７と、第四従動ギア４１８と、第六従動ギア４２０と、第七従動ギア４２１と、第八従動ギア４２２と、後述する下ラック部材４６４と、に駆動力が伝達される伝達経路と、がある。
【０１３６】
また、第四従動ギア４１８と第六従動ギア４２０との間には歯付きベルト４２３が架け渡され、電動モータ４１３が配置されない下側の可動部４４０のガタつきを抑制している。前ケース４１１及び後ケース４１２には、テンションローラ４２４、４２５が回動可能にそれぞれ配設され、歯付きベルト４２３と当接して、歯付きベルト４２３に張力を付与している。
【０１３７】
固定部４１０の、上端部には左右方向に沿って第一スライド軸４２６が配設され、下端部には左右方向に沿って第二スライド軸４２７が配設されている。
【０１３８】
第一スライド軸４２６に対して左右方向にスライド可能な第一スライダガイド４２８と、第二スライド軸４２７に対して左右方向にスライド可能な第二スライダガイド４２９と、を有している。
【０１３９】
第一スライダガイド４２８は、後述する可動部４４０を構成するベース部材４６０の上端部と連結され、第二スライダガイド４２９は、後述する可動部４４０を構成するベース部材４６０の下端部と連結され、可動部４４０の移動をガイドする。
【０１４０】
第一スライド軸４２６の前側には、後述するカム部材４６１に電動モータ４１３からの駆動力を伝達可能とするカム用ラック部材４３０が配設されている。
【０１４１】
可動部４４０は、図２３〜３１に示すように、可動台座部材４５０と、装飾部材１０００Ｅ、１０００Ｆと、導光板部材２０００Ｅ、２０００Ｆと、を備え、固定部４１０に対して左右方向に移動可能とされている。
【０１４２】
可動台座部材４５０は、ベース部材４６０と、前ガイド部材４７０と、押し部材４８０と、を備えている。
【０１４３】
ベース部材４６０の前面側には、カム部材４６１と、カム用従動ギア４６２と、が前後方向を軸として回動可能に配設されている。
【０１４４】
カム部材４６１は、歯付きギアが用いられ、カム用ラック部材４３０、カム用従動ギア４６２を介して電動モータ４１３の駆動力が伝達される。カム部材４６１には、前後方向からみて円形状の外周縁部から、径方向外側の位置において前側に突出するガイドピン４６１ａが配設されて、後述する押し部材４８０に駆動力が伝達可能とされている。
【０１４５】
ベース部材４６０の、上端部の後面には上ラック部材４６３が、下端部の後面には下ラック部材４６４が、それぞれ取り付けられている。
【０１４６】
前ガイド部材４７０は、ベース部材４６０の前側に配置され、ベース部材４６０との間に押し部材４８０を配置可能な空間部分を有するように形成されている。
【０１４７】
前ガイド部材４７０の、上下方向における中央部の右寄りの位置には、前面から後面まで円形状に貫通して、装飾部材１０００Ｅ、１０００Ｆの回転軸部分が挿通される軸孔４７１が二つ配置される。
【０１４８】
前ガイド部材４７０の、上下方向における中央部の左寄りの位置には、前面から後面まで円形状に貫通して、導光板部材２０００Ｅ、２０００Ｆの回転軸部分が挿通される軸孔４７２が二つ配置される。導光板部材２０００Ｅ、２０００Ｆの回転軸は、左右方向に位置を若干ずらして配置されるとともに、前後方向からみて軸孔４７１に対して右斜め上、右斜め下方向に傾くように形成されている。
【０１４９】
前ガイド部材４７０の前側における導光板部材２０００Ｅと対向する面は、左右方向からみて、上下方向に対して若干傾斜して(上側が後ろに下がっている状態)、かつ、上下方向からみて、左右方向に対して若干傾斜して(右側が後ろに下がっている状態)形成されて、導光板部材２０００Ｅと干渉しないように形成されている。
【０１５０】
前ガイド部材４７０の前側における導光板部材２０００Ｆと対向する面は、左右方向からみて、上下方向に対して若干傾斜して(下側が後ろに下がっている状態)、かつ、上下方向からみて、左右方向に対して若干傾斜して(右側が後ろに下がっている状態)形成されて、導光板部材２０００Ｆと干渉しないように形成されている。
【０１５１】
そして、導光板部材２０００が集合した状態において、外周縁部側に対して中央部が若干突出する略円錐形状を取り得ることとされている。
【０１５２】
前ガイド部材４７０には、軸孔４７２と同心円周上に前面から後面まで円弧長孔状に貫通して形成された第一ガイド溝４７３が形成され、第一ガイド溝４７３に導光板部材２０００Ｅ、２０００Ｆの後述する後挟持部材２０６０の第一ガイドピン２０６１が挿通され、導光板部材２０００Ｅ、２０００Ｆの移動を規制可能としている。第一ガイド溝４７３は、上側に位置する第一ガイド溝４７３Ａと、下側に位置する第一ガイド溝４７３Ｂと、で構成される。
【０１５３】
前ガイド部材４７０には、軸孔４７１と同心円周上に前面から後面まで円弧長孔状に貫通して形成された第二ガイド溝４７４が形成され、第二ガイド溝４７４に装飾部材１０００Ｅ、１０００Ｆを軸支する後述する軸支部材１０１０の第二ガイドピン１０１１が挿通され、装飾部材１０００Ｅ、１０００Ｆの移動を規制可能としている。第二ガイド溝４７４は、上側に位置する第二ガイド溝４７４Ａと、下側に位置する第二ガイド溝４７４Ｂと、で構成される。
【０１５４】
前ガイド部材４７０の後面からは、略前後方向に沿って突出する上ガイドピン４７５、下ガイドピン４７６が配設されている。上ガイドピン４７５、下ガイドピン４７６は、後述する押し部材４８０の上ガイド溝４８２、下ガイド溝４８３にそれぞれ挿通可能とされ、押し部材４８０の移動を規制可能とされている。
【０１５５】
押し部材４８０は、上下方向に長尺に形成され、前後方向において、ベース部材４６０と前ガイド部材４７０との間に配置される。
【０１５６】
押し部材４８０の上端部には、前面から後面まで貫通して略左右方向に長い長孔状に形成されたガイド孔４８１が配設されている。
【０１５７】
ガイド孔４８１には、カム部材４６１のガイドピン４６１ａが挿通され、カム部材４６１の回転により、押し部材４８０が略上下方向に移動して、導光板部材２０００Ｅ、２０００Ｆに作用して、導光板部材２０００Ｅ、２０００Ｆが可動台座部材４５０に対して回動可能とされている。
【０１５８】
押し部材４８０の上部と下部には、前面から後面まで上下方向に沿った長孔状に貫通して形成された上ガイド溝４８２、下ガイド溝４８３が配設されている。上ガイド溝４８２、下ガイド溝４８３には、前ガイド部材４７０の後面から延設された上ガイドピン４７５、下ガイドピン４７６が挿通され、押し部材４８０が上下、左右方向への移動することを規制する。
【０１５９】
上下方向において、上ガイド溝４８２、下ガイド溝４８３の間には、前面から後面まで長孔状に貫通して形成された上導光板部材ガイド溝４８４、下導光板部材ガイド溝４８５が配設されている。
【０１６０】
上導光板部材ガイド溝４８４、下導光板部材ガイド溝４８５は、下端側が上下方向に沿った長孔状に形成され、上下方向における途中で右斜め上側に屈曲する長孔状に形成されている。
【０１６１】
上導光板部材ガイド溝４８４、下導光板部材ガイド溝４８５には、後述する導光板部材２０００Ｅ、Ｆの後挟持部材２０６０の軸部分と連結される、リンク部材２０６３から突設するガイドピン２０６４が挿通可能とされている。ガイドピン２０６４の左右方向における位置の変位により、導光板部材２０００Ｅ、２０００Ｆが回動することになる。詳細は後述する。
【０１６２】
装飾部材１０００は、上側に位置する装飾部材１０００Ｅと、下側に位置する装飾部材１０００Ｆと、で構成される。導光板部材２０００は、上側に位置する導光板部材２０００Ｅと、下側に位置する導光板部材２０００Ｆと、で構成される。装飾部材１０００、導光板部材２０００について、上側ユニット１００と同様の構成については、同じ符号を付し全部又は一部の説明を省略する。
【０１６３】
装飾部材１０００Ｅ、１０００Ｆは、光を透過しない合成樹脂で形成され、一部が光を透過可能な１００１を有している。上側ユニット１００の装飾部材１０００Ａ、１０００Ｂと異なり、導光板部材２０００Ｅ、２０００Ｆとは別体で構成されている。
【０１６４】
装飾部材１０００Ｅ、１０００Ｆには、後面から後側に突設され軸支部材１０１０に取り付けられるとともに、導光板部材２０００Ｅ、２０００Ｆの第二当て部２０７０と当接可能とされる第一ガイドピン１００３が配設されている。また、装飾部材１０００Ｆには、後述する前挟持部材２０５０の当て部２０５２と当接可能な当接ピン１００４が配設されている。
【０１６５】
装飾部材１０００Ｅ、１０００Ｆには、軸支部材１０１０が取り付けられている。軸支部材１０１０は、軸支部材１０１０は、軸孔４７１からずれた位置において装飾部材１０００Ｅ、１０００Ｆに取り付けられるとともに、前ガイド部材４７０に対して略前後方向を軸として軸孔４７１に回動可能に取り付けられる。装飾部材１０００Ｅ、１０００Ｆは、軸支部材１０１０を介して前ガイド部材４７０に対して回動可能に取り付けられていることになる。
【０１６６】
軸支部材１０１０（区別するときは、軸支部材１０１０Ｅ、軸支部材１０１０Ｆと表記する）には、後面から後方に突出する第二ガイドピン１０１１が配設されている。第二ガイドピン１０１１は、前ガイド部材４７０の第二ガイド溝４７４に挿通可能とされ、軸支部材１０１０を介して、装飾部材１０００Ｅ、１０００Ｆの移動が規制される。
【０１６７】
導光板部材２０００Ｅ、２０００Ｆは、前導光板２０１０（区別するときは、前導光板２０１０Ｅ、前導光板２０１０Ｆと表記する）と、後導光板２０２０（区別するときは、後導光板２０２０Ｅ、後導光板２０２０Ｆと表記する）と、ＬＥＤ基板２０３０（区別するときは、ＬＥＤ基板２０３０Ｅ、ＬＥＤ基板２０３０Ｆと表記する）と、前挟持部材２０５０（区別するときは、前挟持部材２０５０Ｅ、前挟持部材２０５０Ｆと表記する）と、後挟持部材２０６０（区別するときは、後挟持部材２０６０Ｅ、後挟持部材２０６０Ｆと表記する）と、を備えている。
【０１６８】
前導光板２０１０、後導光板２０２０には、図３１に示すように、後述する後挟持部材２０６０に形成される係止突起２０６６に対応する位置に、直径が係止突起２０６６より若干大きく形成されるとともに係止突起２０６６を挿入可能な係止孔２０１１、２０２１がそれぞれ二か所配設されている。
【０１６９】
各係止孔２０１１に、対応する係止突起２０６６を挿入させて係止することで、前導光板２０１０、後導光板２０２０の後挟持部材２０６０への取り付け位置の位置決めがなされる。
【０１７０】
ＬＥＤ基板２０３０は、合成樹脂製のプリント基板部２０３１と、プリント基板部２０３１よりも柔軟性を有したフレキシブル基板部２０３４と、を有している。
【０１７１】
プリント基板部２０３１には、前導光板２０１０の端面側に光を照射する端面照射ＬＥＤ２０３２と、前側に光を照射する第一前側照射ＬＥＤ２０３３と、が配設されている。
【０１７２】
フレキシブル基板部２０３４には、前側に光を照射する第二前側照射ＬＥＤ２０３５が配設されている。
【０１７３】
ＬＥＤ基板２０３０は、プリント基板部２０３１において、前挟持部材２０５０と、前導光板２０１０及び後導光板２０２０の一部と、後挟持部材２０６０とで前後方向において挟持されて組付けられ、さらに、ＬＥＤ基板２０３０は、フレキシブル基板部２０３４において、前導光板２０１０と、後導光板２０２０と、の間に配置されている。
【０１７４】
ＬＥＤ基板２０３０は、図示しない中継基板を介して、サブ制御基板２５のランプ制御基板２４と接続されて動作、表示等が制御される（図２参照）。
【０１７５】
前挟持部材２０５０は、ＬＥＤ基板２０３０のプリント基板部２０３１の前側に配置され、前導光板２０１０、後導光板２０２０の係止孔２０１１、２０２１後挟持部材２０６０の係止突起２０６６、に対応する位置に二つの図示しない係止凹部を有している。
【０１７６】
前挟持部材２０５０Ｆは、図２３に示す待機位置から集合位置に移動するときに、装飾部材１０００Ｆと当接して、装飾部材１０００Ｅ、１０００Ｆを集合位置側に押圧可能な当て部２０５２を有している。
【０１７７】
後挟持部材２０６０には、略後方に向かって突設される第一ガイドピン２０６１が設けられている。第一ガイドピン２０６１は、図示していないが、円柱状の本体と、本体より大径に形成された大径部と、を有して本体が前ガイド部材４７０の第一ガイド溝４７３内を摺動して可動部４４０の移動をガイドし、大径部により第一ガイド溝４７３の周辺の可動台座部材４５０と当接することで導光板部材２０００Ｅ、２０００Ｆが前側に移動することを規制する。
【０１７８】
後挟持部材２０６０は、前ガイド部材４７０に対して回動可能に取り付けられている。後挟持部材２０６０の後面からは、軸孔４７２に対応した軸ピン２０６２が、前後方向を軸線としたときに軸線に対して斜めとなるように延設されている。
【０１７９】
軸ピン２０６２の後端部には、リンク部材２０６３が取り付けられている。リンク部材２０６３は、リンク部材２０６３の長手方向における、一端において軸ピン２０６２と連結され、他端において後方に突出するガイドピン２０６４が配設されている。
【０１８０】
ガイドピン２０６４は、それぞれ上導光板部材ガイド溝４８４、下導光板部材ガイド溝４８５に挿通されて、押し部材４８０の上下方向における移動により、導光板部材２０００Ｅ、２０００Ｆを回動させる。
【０１８１】
後挟持部材２０６０Ｅには、外周縁部から前側に突出して形成され、待機位置から集合位置に移動するときに、装飾部材１０００Ｅを押圧可能とされる当て部２０６５がそれぞれ配設されている。
【０１８２】
後挟持部材２０６０の前面には、前導光板２０１０、後導光板２０２０の係止孔２０１１、２０２１、に対応する位置に係止突起２０６６が二つ配設されている。
【０１８３】
前挟持部材２０５０と後挟持部材２０６０で構成される導光板部材２０００Ｅ、２０００Ｆには、装飾部材１０００Ｅ、１０００Ｆの第一ガイドピン１００３と当接可能とされる第二当て部２０７０が配設されている。
【０１８４】
プリント基板部２０３１は、待機位置から集合位置に移動したときに、前導光板２０１０の前側に取り付けられる装飾部材１０００Ｅ、１０００Ｆに形成された光透過部１００１と、に略前後方向において重なり合うように配設され、第一前側照射ＬＥＤ２０３３から照射される光を、光透過部１００１を介して遊技者に視認可能とされている。
【０１８５】
右側ユニット４００の動作について説明する。図２３、２５、２８に示す待機状態において、可動部４４０は、固定部４１０に対して、最も左側に位置する待機位置にあり、導光板部材２０００Ｅと導光板部材２０００Ｆ、装飾部材１０００Ｅと装飾部材１０００Ｆは、上下方向において開いて離隔した状態である待機位置にある。
【０１８６】
電動モータ４１３を駆動させると、電動モータ４１３、駆動ギア４１４、第一従動ギア２４５、第二従動ギア４１６、第三従動ギア４１７、第四従動ギア４１８、第五従動ギア４１９、上ラック部材４６３、の順に駆動力が伝達される。
【０１８７】
一方、第四従動ギア４１８から分岐して、歯付きベルト４２３を介して、第六従動ギア２２０、第七従動ギア４２１、第八従動ギア４２２、下ラック部材４６４、の順に駆動力が伝達される。
【０１８８】
以上の二つの駆動力の伝達により、可動部４４０が固定部４１０に対して、左側に移動する。可動部４４０の移動により、カム用ラック部材４３０と噛み合うカム用従動ギア４６２が回転し、カム部材４６１を回転させる。カム部材４６１が回転するとガイドピン４６１ａが円運動し、押し部材４８０を下側に押し下げる。
【０１８９】
このとき、上ガイド溝４８２、下ガイド溝４８３に挿通された上ガイドピン４７５、下ガイドピン４７６が、押し部材４８０の上下左右方向の移動を規制する。一方、上導光板部材ガイド溝４８４、下導光板部材ガイド溝４８５に挿通されたガイドピン２０６４は、次第に位置を左側に移動させる。上側のリンク部材２０６３は、ガイドピン２０６４が回転軸より上側となるように設定されているので、後側からみて、時計回りに回って、図２４、２６、２９、３０に示すように、導光板部材２０００Ｅを時計周りさせて集合状態に至らせる。下側のリンク部材２０６３は、ガイドピン２０６４が回転軸より下側となるように設定されているので、後側からみて、反時計回りに回って、図２４、２６、２９、３０に示すように、導光板部材２０００Ｆを反時計周りさせて集合状態に至らせる。
【０１９０】
後挟持部材２０６０の当て部２０６５が、装飾部材１０００Ｅを押圧して、装飾部材１０００Ｅを後側からみて、時計周りに、前挟持部材２０５０の当て部２０５２が装飾部材１０００Ｆを押圧して、装飾部材１０００Ｆを後側からみて、反時計周りにさせる。
【０１９１】
そして、図２４に示す、可動部４４０が固定部４１０に対して最も左寄りに位置すると、導光板部材２０００Ｅ、２０００Ｆ、装飾部材１０００Ｅ、１０００Ｆが、集合する集合位置となる。
【０１９２】
集合位置から、待機位置に戻るときには、上記と逆順の動作が行われる。
【０１９３】
下側ユニット６００は、図３２、３３に示すように、下左ユニット７００と、下右ユニット８００と、連結ユニット９００と、を有している。
【０１９４】
下左ユニット７００は、図３２〜４０、４２〜４６に示すように、固定部７１０と、可動部７３０と、を備えている。
【０１９５】
固定部７１０は、合成樹脂製で形成されたフレーム７１１を備えている。
【０１９６】
フレーム７１１には、前後方向を回動軸とする、電動モータ７１２と、駆動ギア７１３と、従動ギア７１４と、が配設されている。
【０１９７】
フレーム７１１の前面には、ガイド部材７１５が取り付けられている。ガイド部材７１５は、左右方向からみて、上下方向に対して若干傾斜して(下側が後ろに下がっている状態)、かつ、上下方向からみて、左右方向に対して若干傾斜して(左側が後ろに下がっている状態)形成されて、導光板部材Ｇと干渉しないように形成されている。フレーム７１１の前面と、ガイド部材７１５の後面とは、前後方向において間隔が設けられている。
【０１９８】
ガイド部材７１５には、前面から後面間で貫通して形成された円弧状の第一ガイド溝７１６が配設されている。
【０１９９】
可動部７３０は、装飾部材１０００Ｇと、導光板部材２０００Ｇと、を備えている。
【０２００】
装飾部材１０００Ｇは、装飾体１１００と、ガイド体１１１０と、を有している。
【０２０１】
装飾体１１００Ｇは、光を透過しない合成樹脂で形成され、軸部１１０１においてフレーム７１１に対して前後方向を軸として回動可能に取り付けられている。装飾体１１００Ｇでは、装飾部材１０００Ａ〜Ｆと異なり、一部が光を透過可能な光透過部１００１を有さない構成とされている。装飾体１１００の後面側には、ガイド体１１１０が取り付けられている。ガイド体１１１０には、前面から後面に貫通する略円弧状の第二ガイド溝１１１１が配設されている。
【０２０２】
導光板部材２０００Ｇは、前導光板２０１０（区別するときは、前導光板２０１０Ｇと表記する）と、後導光板２０２０（区別するときは、後導光板２０２０Ｇと表記する）と、ＬＥＤ基板２０３０（区別するときは、ＬＥＤ基板２０３０Ｇと表記する）と、前挟持部材２０８０（区別するときは、前挟持部材２０８０Ｇと表記する）と、後挟持部材２０９０（区別するときは、後挟持部材２０９０Ｇと表記する）と、を備えている。
【０２０３】
前導光板２０１０、後導光板２０２０には、図４６に示すように、後述する後挟持部材２０９０に形成される係止突起２０９１に対応する位置に、直径が係止突起２０９１より若干大きく形成されるとともに係止突起２０９１を挿入可能な係止孔２０１１、２０２１が二か所配設されている。
【０２０４】
各係止孔２０１１に、対応する係止突起２０９１を挿入させて係止することで、前導光板２０１０、後導光板２０２０の後挟持部材２０９０への取り付け位置の位置決めがなされる。
【０２０５】
ＬＥＤ基板２０３０は、合成樹脂製のプリント基板部２０３１と、プリント基板部２０３１よりも柔軟性を有したフレキシブル基板部２０３４と、を有している。
【０２０６】
プリント基板部２０３１には、前導光板２０１０の端面側に光を照射する端面照射ＬＥＤ２０３２が配設されている。ＬＥＤ基板２０３０Ｇでは、装飾体１１００Ｇに光透過部１００１が設けられないため、ＬＥＤ基板２０３０Ａ〜Ｆのように、前側に光を照射する第一前側照射ＬＥＤ２０３３は配設されない。
【０２０７】
導光板部材２０００Ｇ、２０００Ｈでは、フレキシブル基板部２０３４に、前側に光を照射する第二前側照射ＬＥＤ２０３５が配設される構成とされている。
【０２０８】
ＬＥＤ基板２０３０は、図示しない中継基板を介して、サブ制御基板２５のランプ制御基板２４と接続されて動作、表示等が制御される（図２参照）。
【０２０９】
前挟持部材２０８０は、平板状に形成され、前導光板２０１０、後導光板２０２０の係止孔２０１１、２０２１、後挟持部材２０９０の係止突起２０９１、に対応する位置に二つの図示しない係止凹部が配設されている。
【０２１０】
前挟持部材２０８０には、略円弧状に形成され後述する動力伝達部２１００を構成する動力伝達部形成部２０８２が設けられている。動力伝達部形成部２０８２の前面には、略前方に向かって突出して、ガイド体１１１０の第二ガイド溝１１１１に挿通可能な第二ガイドピン２０８３が配設されている。第二ガイドピン２０８３は、図示していないが、円柱状の本体と、本体より大径に形成された大径部と、を有している。
【０２１１】
後挟持部材２０９０は、平板状に形成され、前面には、前導光板２０１０、後導光板２０２０の係止孔２０１１、２０２１、に対応する位置に係止突起２０９１が二つ配設されている。
【０２１２】
後挟持部材２０９０には、略円弧状に形成され後述する動力伝達部２１００を構成する動力伝達部形成部２０９２が設けられている。前後方向からみて、動力伝達部形成部２０８２と、動力伝達部形成部２０９２は略同一形状に形成されている。後挟持部材２０９０の後面には、前側からみて円弧状のラック部材２０９３が配設されている。ラック部材２０９３の下面側にラックが形成されている。
【０２１３】
ラック部材２０９３には、略後方に向かって突出して第一ガイド溝７１６に挿通可能な第一ガイドピン２０９４が二つ配設されている。第一ガイドピン２０９４は、図示していないが、円柱状の本体と、本体より大径に形成された大径部と、を有している。組み付けられた状態において、大径部どうしは、円弧状の連結プレート２０９５で連結されている。
【０２１４】
ＬＥＤ基板２０３０は、プリント基板部２０３１において、前導光板２０１０、後導光板２０２０と、前挟持部材２０８０と、後挟持部材２０９０とで前後方向において挟持されて組付けられ、さらに、フレキシブル基板部２０３４において、前導光板２０１０と、後導光板２０２０との間に配置されている。
【０２１５】
導光板部材２０００Ｇには、組み付けられた状態において、ガイド部材７１５と、ガイド体１１１０との間を移動可能とされ、電動モータ７１２の駆動力を伝達可能な動力伝達部２１００（区別するときは、動力伝達部２１００Ｇと表記する）が設けられる。動力伝達部２１００は、前挟持部材２０８０、後挟持部材２０９０の動力伝達部形成部２０８２、２０９２、ラック部材２０９３が、前後方向に重ね合わされて形成されている。ラック部材２０９３は、従動ギア７１４を介して電動モータ７１２の駆動力を、装飾部材１０００Ｇ、導光板部材２０００Ｇに伝達可能とされている。
【０２１６】
組み付けられた状態において、第一ガイドピン２０９４が第一ガイド溝７１６内を摺動して可動部７３０の移動をガイドし、大径部によりガイド部材７１５と当接することで可動部７３０が前側に移動することを規制する。
【０２１７】
組み付けられた状態において、第二ガイドピン２０８３が第二ガイド溝１１１１内を摺動して可動部７３０の移動をガイドし、大径部によりガイド体１１１０と当接して可動部７３０が後側に移動することを規制する。
【０２１８】
下左ユニット７００と、下右ユニット８００は、上述したベース枠体４２の図示しない枠フレームに取り付けられるとともに、連結ユニット９００により連結されている。
【０２１９】
下左ユニット７００の動作について説明する。図３４〜３６の（ａ−１）〜（ａ−９）に示すように、待機状態において、第一ガイド溝７１６と第二ガイド溝１１１１は、前後方向において、左端部が略重なり合う状態に配置され、電動モータ７１２が駆動すると動力伝達部２１００Ｇに駆動力が伝達され、第一ガイドピン２０９４が第一ガイド溝７１６に案内されて導光板部材２０００Ｇが右上方向に移動する。一方、第二ガイドピン２０８３が第二ガイド溝１１１１に案内されて装飾部材１０００Ｇが時計回りに回転する。
【０２２０】
詳説すると、電動モータ７２１の駆動力が直接伝達される導光板部材２０００Ｇが先に移動し、導光板部材２０００Ｇが移動するにしたがって、第二ガイドピン２０８３が装飾部材１０００Ｇの軸部１１０１に近づくと、図３７〜４０に示すように、第二ガイドピン２０８３が第二ガイド溝１１１１を介して装飾部材１０００Ｇを押して、装飾部材１０００Ｇが、遅れて回転移動することになる。つまり、装飾部材１０００Ｇの移動が、導光板部材２０００Ｇの移動に対してタイムラグを生じるように移動する（導光板部材２０００Ｇに対して遅れて移動する）。
【０２２１】
下右ユニット８００は、図３２〜３９、４１〜４６に示すように、固定部８１０と、可動部８３０と、を備えている。
【０２２２】
固定部８１０は、合成樹脂製で形成されたフレーム８１１を備えている。
【０２２３】
フレーム８１１には、前後方向を回動軸とする、電動モータ８１２と、駆動ギア８１３と、従動ギア８１４と、が配設されている。
【０２２４】
フレーム８１１の前面には、ガイド部材８１５が取り付けられている。ガイド部材８１５は、左右方向からみて、上下方向に対して若干傾斜して(下側が後ろに下がっている状態)、かつ、上下方向からみて、左右方向に対して若干傾斜して(右側が後ろに下がっている状態)形成されて、導光板部材Ｈと干渉しないように形成されている。フレーム８１１の前面と、ガイド部材８１５の後面とは、前後方向において間隔が設けられている。
【０２２５】
ガイド部材８１５には、前面から後面間で貫通して形成された円弧状の第一ガイド溝８１６が配設されている。
【０２２６】
可動部８３０は、装飾部材１０００Ｈと、導光板部材２０００Ｈと、を備えている。
【０２２７】
装飾部材１０００Ｈは、装飾体１１００と、ガイド体１１１０と、を有している。
【０２２８】
装飾体１１００Ｈは、光を透過しない合成樹脂で形成され、軸部１１０１においてフレーム８１１に対して前後方向を軸として回動可能に取り付けられている。装飾体１１００Ｈでは、装飾部材１０００Ａ〜Ｆと異なり、一部が光を透過可能な光透過部１００１を有さない構成とされている。装飾体１１００の後面側には、ガイド体１１１０が取り付けられている。ガイド体１１１０には、前面から後面に貫通する略円弧状の第二ガイド溝１１１１が配設されている。
【０２２９】
導光板部材２０００Ｈは、前導光板２０１０（区別するときは、前導光板２０１０Ｈと表記する）と、後導光板２０２０（区別するときは、後導光板２０２０Ｈと表記する）と、ＬＥＤ基板２０３０（区別するときは、ＬＥＤ基板２０３０Ｈと表記する）と、前挟持部材２０８０（区別するときは、前挟持部材２０８０Ｈと表記する）と、後挟持部材２０９０（区別するときは、後挟持部材２０９０Ｈと表記する）と、を備えている。
【０２３０】
前導光板２０１０、後導光板２０２０には、図４６に示すように、後述する後挟持部材２０９０に形成される係止突起２０９１に対応する位置に、直径が係止突起２０９１より若干大きく形成されるとともに係止突起２０９１を挿入可能な係止孔２０１１が三か所配設されている。
【０２３１】
各係止孔２０１１に、対応する係止突起２０９１を挿入させて係止することで、前導光板２０１０、後導光板２０２０の後挟持部材２０９０への取り付け位置の位置決めがなされる。
【０２３２】
ＬＥＤ基板２０３０は、合成樹脂製のプリント基板部２０３１と、プリント基板部２０３１よりも柔軟性を有したフレキシブル基板部２０３４と、を有している。
【０２３３】
プリント基板部２０３１には、前導光板２０１０の端面側に光を照射する端面照射ＬＥＤ２０３２が配設されている。ＬＥＤ基板２０３０Ｈでは、装飾体１１００Ｇに光透過部１００１が設けられないため、ＬＥＤ基板２０３０Ａ〜Ｆのように、前側に光を照射する第一前側照射ＬＥＤ２０３３は配設されない。
【０２３４】
導光板部材２０００Ｈでは、フレキシブル基板部２０３４に、前側に光を照射する第二前側照射ＬＥＤ２０３５が配設される構成とされている。
【０２３５】
ＬＥＤ基板２０３０は、図示しない中継基板を介して、サブ制御基板２５のランプ制御基板２４と接続されて動作、表示等が制御される（図２参照）。
【０２３６】
前挟持部材２０８０は、平板状に形成され、前導光板２０１０、後導光板２０２０の係止孔２０１１、２０２１、後挟持部材２０９０の係止突起２０９１、に対応する位置に三つの図示しない係止凹部が配設されている。
【０２３７】
前挟持部材２０８０には、略円弧状に形成され後述する動力伝達部２１００を構成する動力伝達部形成部２０８２が設けられている。動力伝達部形成部２０８２の前面には、略前方に向かって突出して、ガイド体１１１０の第二ガイド溝１１１１に挿通可能な第二ガイドピン２０８３が配設されている。第二ガイドピン２０８３は、図示していないが、円柱状の本体と、本体より大径に形成された大径部と、を有している。
【０２３８】
後挟持部材２０９０は、平板状に形成され、前面には、前導光板２０１０、後導光板２０２０の係止孔２０１１、２０２１、に対応する位置に係止突起２０９１が三つ配設されている。
【０２３９】
後挟持部材２０９０には、略円弧状に形成され後述する動力伝達部２１００を構成する動力伝達部形成部２０９２が設けられている。前後方向からみて、動力伝達部形成部２０８２と、動力伝達部形成部２０９２は略同一形状に形成されている。後挟持部材２０９０の後面には、前側からみて円弧状のラック部材２０９３が配設されている。ラック部材２０９３の下面側にラックが形成されている。
【０２４０】
ラック部材２０９３には、略後方に向かって突出して第一ガイド溝８１６に挿通可能な第一ガイドピン２０９４が二つ配設されている。第一ガイドピン２０９４は、図示していないが、円柱状の本体と、本体より大径に形成された大径部と、を有している。組み付けられた状態において、大径部どうしは、円弧状の連結プレート２０９５で連結されている。
【０２４１】
ＬＥＤ基板２０３０は、プリント基板部２０３１において、前導光板２０１０、後導光板２０２０と、前挟持部材２０８０と、後挟持部材２０９０とで前後方向において挟持されて組付けられ、さらに、フレキシブル基板部２０３４において、前導光板２０１０と、後導光板２０２０との間に配置されている。
【０２４２】
導光板部材２０００Ｈには、組み付けられた状態において、ガイド部材８１５と、ガイド体１１１０との間を移動可能とされ、電動モータ８１２の駆動力を伝達可能な動力伝達部２１００（区別するときは、動力伝達部２１００Ｈと表記する）が設けられる。動力伝達部２１００は、前挟持部材２０８０、後挟持部材２０９０の動力伝達部形成部２０８２、２０９２、ラック部材２０９３が、前後方向に重ね合わされて形成されている。ラック部材２０９３は、従動ギア８１４を介して電動モータ８１２の駆動力を、装飾部材１０００Ｈ、導光板部材２０００Ｈに伝達可能とされている。
【０２４３】
組み付けられた状態において、第一ガイドピン２０９４が第一ガイド溝８１６内を摺動して可動部８３０の移動をガイドし、大径部によりガイド部材８１５と当接することで可動部８３０が前側に移動することを規制する。
【０２４４】
組み付けられた状態において、第二ガイドピン２０８３が第二ガイド溝１１１１内を摺動して可動部８３０の移動をガイドし、大径部によりガイド体１１１０と当接して可動部７３０が後側に移動することを規制する。
【０２４５】
下左ユニット７００と、下右ユニット８００は、上述したベース枠体４２の図示しない枠フレームに取り付けられるとともに、連結ユニット９００により連結されている。
【０２４６】
下右ユニット８００の動作について説明する。図３４〜３６の（ｂ−１）〜（ｂ−９）に示すように、待機状態において、第一ガイド溝８１６と第二ガイド溝１１１１は、前後方向において、右端部において略重なり合う状態に配置され、電動モータ８１２が駆動すると動力伝達部２１００Ｈに駆動力が伝達され、第一ガイドピン２０９４が第一ガイド溝８１６に案内されて導光板部材２０００Ｈが左上方向に移動する、一方、第二ガイドピン２０８３が第二ガイド溝１１１１に案内されて装飾部材１０００Ｈが時計回りに回転する。
【０２４７】
詳説すると、電動モータ８２１の駆動力が直接伝達される導光板部材２０００Ｈが先に移動し、導光板部材２０００Ｈが移動するにしたがって、第二ガイドピン２０８３が装飾部材１０００Ｈの軸部１１０１に近づくと、図３７〜３９、４１に示すように、第二ガイドピン２０８３が第二ガイド溝１１１１を介して装飾部材１０００Ｈを押して、装飾部材１０００Ｈが、遅れて回転移動することになる。つまり、装飾部材１０００Ｈの移動が、導光板部材２０００Ｈの移動に対してタイムラグを生じるように移動する（導光板部材２０００Ｈに対して遅れて移動する）。
【０２４８】
実施形態の演出例について説明する。理解を容易にするとともに見やすくするため、図４７〜５１においては、図に現れない装飾部材１０００、導光板部材２０００があり、各構成の符号を適宜省略している。
【０２４９】
（ノーマルリーチはずれの演出例１）
特別図柄変動の開始に伴って液晶画面６ａにおいて装飾図柄Ｆが変動状態となり、全ての装飾図柄Ｆが高速変動している状態になり、そして、図４７の（ａ）に示すように、左図柄ＬＦと右図柄ＲＦが仮停止し、中図柄ＣＦが変動する状態となるノーマルリーチ演出に移行する。
【０２５０】
このとき、導光板部材２０００、装飾部材１０００は、待機位置にある。ノーマルリーチ演出において、導光板部材２０００を待機位置のままで、図４７の（ｂ）に示すように、前導光板２０１０の端面に端面照射ＬＥＤ２０３２の光を照射して導光板部材２０００を通常の面発光させる（第一の発光態様）。これにより、遊技者は大当たりへの期待感を抱くことになる。
【０２５１】
そして、導光板部材２０００の面発光が終了して、図４７の（ｃ）に示すように、特別図柄の変動停止に伴って、左図柄ＬＦ、右図柄ＲＦの数字が６、中図柄ＣＦの数字が５の状態で確定停止する。
【０２５２】
（ノーマルリーチはずれの演出例２）
特別図柄変動の開始に伴って液晶画面６ａにおいて装飾図柄Ｆが変動状態となり、全ての装飾図柄Ｆが高速変動している状態になり、そして、図４８の（ａ）に示すように、左図柄ＬＦと右図柄ＲＦが仮停止し、中図柄ＣＦが変動する状態となるノーマルリーチ演出に移行する。
【０２５３】
このとき、導光板部材２０００、装飾部材１０００は、待機位置にある。ノーマルリーチ演出において、導光板部材２０００を待機位置のままで、図４８の（ｂ）に示すように、第二前側照射ＬＥＤ２０３５を発光させて前側に光を照射する（第二の発光態様）。この演出により、間接的な面発光に比べ第二前側照射ＬＥＤ２０３５の光を遊技者は直接視認するので、遊技者は上述した演出よりも、大当たりへの期待感を高めることになる。
【０２５４】
そして、導光板部材２０００の前側への発光が終了して、図４８の（ｃ）に示すように、特別図柄の変動停止に伴って、左図柄ＬＦ、右図柄ＲＦの数字が７、中図柄ＣＦの数字が５の状態で確定停止する。
【０２５５】
（ＳＰリーチはずれの演出例１）
特別図柄変動の開始に伴って液晶画面６ａにおいて装飾図柄Ｆが変動状態となり、全ての装飾図柄Ｆが高速変動している状態になり、そして、図４９の（ａ）に示すように、左図柄ＬＦと右図柄ＲＦが仮停止し、中図柄ＣＦが変動する状態となるノーマルリーチ演出に移行する。
【０２５６】
このとき、導光板部材２０００、装飾部材１０００は、待機位置にある。そして、ノーマルリーチ演出において、図４９の（ｂ）に示すように、導光板部材２０００を待機位置から少しだけ移動させつつ（図面においてチョイ動きと表記する）、前導光板２０１０の端面に端面照射ＬＥＤ２０３２の光を照射して導光板部材２０００を通常の面発光させる（第二の発光態様）。これにより、遊技者は大当たりへの期待感を抱くことになる。
【０２５７】
そこから、図４９の（ｃ）に示すように、ＳＰリーチ演出に発展移行する。実施形態では、液晶画面６ａにおいて、探していた人と再開するアニメーションが表示される。このとき、装飾図柄Ｆは、縮小された表示となり、同じ数字の左図柄ＬＦと右図柄ＲＦの数字部ＦＮが微小動作をともなって仮停止し、中図柄ＣＦが変動する状態となっている。
【０２５８】
ＳＰリーチが終了するときに、図４９の（ｄ）に示すように、導光板部材２０００、装飾部材１０００を、集合位置に移動させ、各第二前側照射ＬＥＤ２０３５を発光させるとともに、各第一前側照射ＬＥＤ２０３３を発光させて、装飾部材１０００Ａ〜Ｆの光透過部１００１を介した発光態様とする（第二の発光態様）。このとき、導光板部材２０００が集合した態様（一体化したガラス）が作出され、導光板部材２０００及び装飾部材１０００が集合した所定の意匠（ガラスとその周りを囲う枠）が作出されている。
【０２５９】
そして、図４９の（ｅ）に示すように、導光板部材２０００の前側への発光、装飾部材１０００の光透過部１００１を介した発光を終了させ、導光板部材２０００、装飾部材１０００を待機位置に移動させた後、特別図柄の変動停止に伴って、左図柄ＬＦ、右図柄ＲＦの数字が６、中図柄ＣＦの数字が７の状態で確定停止する。
【０２６０】
（ＳＰリーチはずれの演出例２）
特別図柄変動の開始に伴って液晶画面６ａにおいて装飾図柄Ｆが変動状態となり、全ての装飾図柄Ｆが高速変動している状態になり、そして、図５０の（ａ）に示すように、左図柄ＬＦと右図柄ＲＦが仮停止し、中図柄ＣＦが変動する状態となるノーマルリーチ演出に移行する。
【０２６１】
このとき、導光板部材２０００、装飾部材１０００は、待機位置にある。そして、ノーマルリーチ演出において、図５０の（ｂ）に示すように、導光板部材２０００を待機位置から少しだけ移動させつつ（図面においてチョイ動きと表記する）、前導光板２０１０の端面に端面照射ＬＥＤ２０３２の光を照射して、導光板部材２０００を面発光させるとともに、第二前側照射ＬＥＤ２０３５を発光させる（第二の発光態様）。導光板部材２０００、装飾部材１０００の移動と、二種類のＬＥＤ発光の組み合わせにより、遊技者は大当たりへの期待感を抱くことになる。
【０２６２】
そこから、図５０の（ｃ）に示すように、ＳＰリーチ演出に発展移行する。実施形態では、液晶画面６ａにおいて、探していた人と再開するアニメーションが表示される。このとき、装飾図柄Ｆは、縮小された表示となり、同じ数字の左図柄ＬＦと右図柄ＲＦの数字部ＦＮが微小動作をともなって仮停止し、中図柄ＣＦが変動する状態となっている。
【０２６３】
ＳＰリーチが終了するときに、図５０の（ｄ）に示すように、導光板部材２０００、装飾部材１０００を、集合位置に移動させ、前導光板２０１０の端面に端面照射ＬＥＤ２０３２の光を照射して、導光板部材２０００を面発光させるとともに、第一前側照射ＬＥＤ２０３３を発光させて、装飾部材１０００の光透過部１００１を介した発光態様とする（第二の発光態様）。このとき、導光板部材２０００が集合した態様（一体化したガラス）が作出され、導光板部材２０００及び装飾部材１０００が集合した所定の意匠（ガラスとその周りを囲う枠）が作出されている。
【０２６４】
そして、図５０の（ｅ）に示すように、導光板部材２０００の面発光、装飾部材１０００の光透過部１００１を介した発光を終了させ、導光板部材２０００、装飾部材１０００を待機位置に移動させた後、特別図柄の変動停止に伴って、左図柄ＬＦ、右図柄ＲＦの数字が７、中図柄ＣＦの数字が６の状態で確定停止する。
【０２６５】
（大当たりの演出例）
特別図柄変動の開始に伴って液晶画面６ａにおいて装飾図柄Ｆが変動状態となり、全ての装飾図柄Ｆが高速変動している状態になり、そして、図５１の（ａ）に示すように、左図柄ＬＦと右図柄ＲＦが仮停止し、中図柄ＣＦが変動する状態となるノーマルリーチ演出に移行する。
【０２６６】
このとき、導光板部材２０００、装飾部材１０００は、待機位置にある。そして、ノーマルリーチ演出において、図５１の（ｂ）に示すように、導光板部材２０００を待機位置のままで、前導光板２０１０の端面に端面照射ＬＥＤ２０３２の光を照射して、導光板部材２０００を面発光させる（第一の発光態様）。
【０２６７】
そこから、図５１の（ｃ）に示すように、ＳＰリーチ演出に発展移行する。ＳＰリーチが終了するときに、導光板部材２０００、装飾部材１０００を待機位置から少しだけ移動させつつ（図面においてチョイ動きと表記する）、前導光板２０１０の端面に端面照射ＬＥＤ２０３２の光を照射して、導光板部材２０００を面発光させる発光態様とする（第二の発光態様）。
【０２６８】
そして、ＳＰＳＰリーチ演出に移行する。実施形態では、図５１の（ｄ）に示すように、液晶画面６ａには、二人でドライブをするアニメーションと、ＳＰリーチ演出から引き続き左図柄ＬＦと右図柄ＲＦが縮小された状態で表示される。
【０２６９】
ＳＰＳＰリーチ演出において、導光板部材２０００を待機位置から少しだけ移動させつつ、前導光板２０１０の端面に端面照射ＬＥＤ２０３２の光を照射して、導光板部材２０００を面発光させるとともに、第二前側照射ＬＥＤ２０３５を発光させる（第二の発光態様）。
【０２７０】
ＳＰＳＰリーチ演出が終了に近づくと、図５１の（ｅ）に示すように、導光板部材２０００、装飾部材１０００は待機位置に戻り、液晶画面６ａには、演出ボタン３０を操作を促す「押せ！！」の操作指示表示ＯＩが表示される。
【０２７１】
演出ボタン３０の操作、又は、操作指示表示ＯＩの表示開始から所定時間の経過により、図５１の（ｆ）に示すように、導光板部材２０００、装飾部材１０００を、集合位置に移動させ、前導光板２０１０の端面に端面照射ＬＥＤ２０３２の光を照射して、導光板部材２０００を面発光させるとともに、第二前側照射ＬＥＤ２０３５を発光させ、かつ、第一前側照射ＬＥＤ２０３３を発光させて、装飾部材１０００の光透過部１００１を介した発光態様とする（第二の発光態様）。このとき、導光板部材２０００が集合した態様（一体化したガラス）が作出され、導光板部材２０００及び装飾部材１０００が集合した所定の意匠（ガラスとその周りを囲う枠）が作出されている。
【０２７２】
そして、導光板部材２０００の面発光、第二前側照射ＬＥＤ２０３５の前側への発光、装飾部材１０００の光透過部１００１を介した発光を終了させ、図５１の（ｇ）に示すように、導光板部材２０００、装飾部材１０００を待機位置に移動させた後、特別図柄の変動停止に伴って、左図柄ＬＦ、右図柄ＲＦ、中図柄ＣＦの数字が７の状態で確定停止する。その後、大当たり遊技に移行する。
【０２７３】
本発明では、役物（導光板表示装置５０）を備える遊技機であって、
前記役物は、
導光板部材（導光板部材２０００）を備え、前記導光板部材は、表示手段（メイン液晶表示装置６）の前方で動作可能とされ、
複数の前記導光板部材が集合した態様を作出可能とされていることを特徴とする。
【０２７４】
また、本発明では、役物（導光板表示装置５０）を備える遊技機であって、
前記役物は、
導光板部材（導光板部材２０００）と装飾部材（装飾部材１０００）を備え、前記導光板部材と、前記装飾部材は、表示手段（メイン液晶表示装置６）の前方で動作可能とされ、
複数の前記導光板部材及び前記装飾部材が集合した所定の意匠を作出可能とされていることを特徴とする。
【０２７５】
これによれば、表示手段（メイン液晶表示装置６）の前方で、複数の前記導光板部材（導光板部材２０００）が集合した態様を作出したり、複数の前記導光板部材及び前記装飾部材が集合した所定の意匠を作出したりすることで、遊技者にインパクトを与え、遊技の趣向性を向上させることができる。
【０２７６】
本発明の遊技機は上記構成に限定されるものではない。即ち、本発明の要旨を逸脱しない限り各種の設計変更等が可能である。
【０２７７】
導光板部材２０００の面発光、第二前側照射ＬＥＤ２０３５の前側への発光、装飾部材１０００の光透過部１００１を介した発光は、バラはずれ、ノーマルリーチ演出、ＳＰリーチ演出、ＳＰＳＰリーチ演出、疑似連続演出等に、適宜組み合わせた態様で行うことができる。
【０２７８】
導光板部材２０００、装飾部材１０００の光透過部１００１を介した発光の発光態様は、導光板部材２０００、装飾部材１０００の位置に関連して変更するようにしてもよい。例えば、待機位置での発光は輝度を低く又は消灯し、集合位置での発光は輝度を高くし、移動中での発光は輝度を高く又は輝度を低く若しくは消灯する。
【０２７９】
また、導光板部材２０００において、導光板部材２０００を待機位置から少しだけ移動させる際の発光は輝度を中程度とする。これにより、導光板部材２０００の待機位置、待機位置から少しだけ移動させる際、集合位置での演出に対する大当たりへの期待度の高低を設定することが可能となる。
【０２８０】
また、装飾部材１０００の光透過部１００１を介した発光において、輝度が高ければ高いほど明度／彩度の高い発光色にすれば、輝度の高い演出が行われた場合、更に遊技者の大当たりへの期待度を高めることが可能となる。
【０２８１】
その他、導光板部材２０００、装飾部材１０００の光透過部１００１を介した発光の発光態様は、移動直前に点灯／点滅又は消灯したり、移動中に点灯／点滅又は消灯したりすることもできる。更には、例えば、待機位置で消灯→集合位置で点灯、待機位置で点灯→集合位置で点灯、待機位置で点灯→集合位置で消灯、待機位置で消灯→集合位置で消灯、集合位置で消灯→待機位置で点灯、集合位置で点灯→待機位置で点灯、集合位置で点灯→待機位置で消灯、集合位置で消灯→待機位置で消灯する態様も可能である。
【符号の説明】
【０２８２】
１  遊技機
５０  導光板表示装置
６  メイン液晶表示装置
１０００  装飾部材
２０００  導光板部材
【図１】
2018157915.tif 000003
【図２】
2018157915.tif 000004
【図３】
2018157915.tif 000005
【図４】
2018157915.tif 000006
【図５】
2018157915.tif 000007
【図６】
2018157915.tif 000008
【図７】
2018157915.tif 000009
【図８−１】
2018157915.tif 000010
【図８−２】
2018157915.tif 000011
【図８−３】
2018157915.tif 000012
【図９】
2018157915.tif 000013
【図１０−１】
2018157915.tif 000014
【図１０−２】
2018157915.tif 000015
【図１０−３】
2018157915.tif 000016
【図１１】
2018157915.tif 000017
【図１２】
2018157915.tif 000018
【図１３】
2018157915.tif 000019
【図１４】
2018157915.tif 000020
【図１５】
2018157915.tif 000021
【図１６】
2018157915.tif 000022
【図１７】
2018157915.tif 000023
【図１８】
2018157915.tif 000024
【図１９】
2018157915.tif 000025
【図２０】
2018157915.tif 000026
【図２１】
2018157915.tif 000027
【図２２】
2018157915.tif 000028
【図２３】
2018157915.tif 000029
【図２４】
2018157915.tif 000030
【図２５】
2018157915.tif 000031
【図２６】
2018157915.tif 000032
【図２７】
2018157915.tif 000033
【図２８】
2018157915.tif 000034
【図２９】
2018157915.tif 000035
【図３０】
2018157915.tif 000036
【図３１】
2018157915.tif 000037
【図３２】
2018157915.tif 000038
【図３３】
2018157915.tif 000039
【図３４】
2018157915.tif 000040
【図３５】
2018157915.tif 000041
【図３６】
2018157915.tif 000042
【図３７】
2018157915.tif 000043
【図３８】
2018157915.tif 000044
【図３９】
2018157915.tif 000045
【図４０】
2018157915.tif 000046
【図４１】
2018157915.tif 000047
【図４２】
2018157915.tif 000048
【図４３】
2018157915.tif 000049
【図４４】
2018157915.tif 000050
【図４５】
2018157915.tif 000051
【図４６】
2018157915.tif 000052
【図４７】
2018157915.tif 000053
【図４８】
2018157915.tif 000054
【図４９】
2018157915.tif 000055
【図５０】
2018157915.tif 000056
【図５１】
2018157915.tif 000057
【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
役物を備える遊技機であって、
前記役物は、
複数の発光手段と、複数の導光板部材を備え、少なくとも一部の前記導光板部材は、表示手段の前方で動作可能とされ、
複数の前記導光板部材が集合する第１動作態様と、前記第１動作態様とは異なる第２動作態様と、
を作出可能とされ、
前記第１動作態様と前記第２動作態様とでは、前記導光板部材が異なる視認態様となるように互いに異なる前記発光手段を発光させることを特徴とする遊技機。
【請求項２】
役物を備える遊技機であって、
前記役物は、
複数の発光手段と、複数の導光板部材及び装飾部材を備え、少なくとも一部の前記導光板部材と、前記装飾部材は、表示手段の前方で動作可能とされ、
複数の前記導光板部材及び前記装飾部材が集合する第１動作態様と、前記第１動作態様とは異なる第２動作態様と、
を作出可能とされ、
前記第１動作態様と前記第２動作態様とでは、前記導光板部材が異なる視認態様となるように互いに異なる前記発光手段を発光させることを特徴とする遊技機。
【手続補正２】
【補正対象書類名】明細書
【補正対象項目名】０００６
【補正方法】変更
【補正の内容】
【０００６】
本発明では、役物（導光板表示装置５０）を備える遊技機であって、
前記役物は、
複数の発光手段（端面照射ＬＥＤ２０３２、第二前側照射ＬＥＤ２０３５）と、複数の導光板部材（導光板部材２０００）を備え、少なくとも一部の前記導光板部材は、表示手段（メイン液晶表示装置６）の前方で動作可能とされ、
複数の前記導光板部材が集合する第１動作態様（段落０２５８、図４９等の一体化されたガラス等）と、前記第１動作態様とは異なる第２動作態様（段落０２５６、図４９等のチョイ動き）と、
を作出可能とされ、
前記第１動作態様と前記第２動作態様とでは、前記導光板部材が異なる視認態様となるように互いに異なる前記発光手段を発光させる（図４９（ｂ）と図４９（ｄ））ことを特徴とする。
【手続補正３】
【補正対象書類名】明細書
【補正対象項目名】０００７
【補正方法】変更
【補正の内容】
【０００７】
また、本発明では、役物（導光板表示装置５０）を備える遊技機であって、
前記役物は、
複数の発光手段（端面照射ＬＥＤ２０３２、第二前側照射ＬＥＤ２０３５）と、複数の導光板部材（導光板部材２０００）及び装飾部材（装飾部材１０００）を備え、少なくとも一部の前記導光板部材と、前記装飾部材は、表示手段（メイン液晶表示装置６）の前方で動作可能とされ、
複数の前記導光板部材及び前記装飾部材が集合する第１動作態様（段落０２５８、図４９等の一体化されたガラス等）と、前記第１動作態様とは異なる第２動作態様（段落０２５６、図４９等のチョイ動き）と、
を作出可能とされ、
前記第１動作態様と前記第２動作態様とでは、前記導光板部材が異なる視認態様となるように互いに異なる前記発光手段を発光させる（図４９（ｂ）と図４９（ｄ））ことを特徴とする。